(57)【要約】      （修正有）【課題】端局中継装置を含むネットワークのシステム再構成、あるいは、現用回線／予備回線切り替えを柔軟に実行し、顧客に対する十分なサービスと機能を提供する。【解決手段】端局中継装置において、ネットワーク上での回線設定を含むクロスコネクト処理を実行する、そのようなクロスコネクト処理回路と、クロスコネクト処理回路を制御する制御回路と備える。制御回路は、ネットワークの伝送路の複数の回線を模擬し、それぞれの回線を識別する識別情報を伝送する模擬回線を含む制御伝送路と、制御伝送路において模擬回線を切り替える切替部と、切替部による切替後の模擬回線の識別情報と切替前の模擬回線の識別情報との対応関係にしたがって前記クロスコネクト処理回路に切り替え信号を設定する設定部とを備える。【選択図】図２５
2008178124.tif 000002
【特許請求の範囲】
【請求項１】
ネットワーク上での回線設定を含むクロスコネクト処理を実行する、そのようなクロスコネクト処理回路と、
前記クロスコネクト処理回路を制御する制御回路と備え、
前記制御回路は、
前記ネットワークの伝送路の複数の回線を模擬し、それぞれの回線を識別する識別情報を伝送する模擬回線を含む制御伝送路と、
前記制御伝送路において前記模擬回線を切り替える切替部と、
前記切替部による切替後の模擬回線の識別情報と切替前の模擬回線の識別情報との対応関係にしたがって前記クロスコネクト処理回路に切り替え信号を設定する設定部とを備える、端局中継装置。
【請求項２】
前記回線を識別する識別情報を発生して、その識別情報を前記制御伝送路の対応する回線に入力する識別情報発生部をさらに備える請求項１に記載の端局中継装置。
【請求項３】
前記制御伝送路は、前記ネットワークに含まれる現用系伝送路に対応する複数の模擬回線を含む第１制御伝送路と、前記ネットワークに含まれる予備系伝送路に対応し、前記第１制御伝送路の代替伝送路となる前記第２制御伝送路とを有し、
前記切替部は、前記第１制御伝送路と第２制御伝送路との間で模擬回線を切り替える請求項１または２に記載の端局中継装置。
【請求項４】
前記制御伝送路は、前記ネットワークへの加入側回線を含む第３伝送路と、前記ネットワークからの離脱側回線を含む第４伝送路とをさらに有し、
前記切替部は、該切替部への入力側において、前記第１制御伝送路、第２制御伝送路、または、第３伝送路との間で回線を切り替える入力側切替部と、該切替部への出力側において、前記第１制御伝送路、第２制御伝送路、または、第４伝送路との間で回線を切り替える出力側切替部とを有する請求項１から３のいずれかに記載の端局中継装置。
【請求項５】
前記端局中継装置は、ＳＯＮＥＴ／ＳＤＨ光ネットワークにおけるＵＳＰＲ（Uni-directional Path Switched Ring）を構成する請求項４に記載の端局中継装置。
【請求項６】
前記端局中継装置は、ＳＯＮＥＴ／ＳＤＨ光ネットワークにおけるＢＬＳＲ（Bi-directional Line Switched Ring）を構成する請求項４に記載の端局中継装置。
【発明の詳細な説明】
【技術分野】
【０００１】
本発明は、ネットワークの端局中継装置に関するものである。
【背景技術】
【０００２】
ＳＯＮＥＴ（Synchronous Optical NETwork）／ＳＤＨ（Synchronuos Digital Hierarchy）は、光ファイバーを用いた高速デジタル通信方式の国際規格として知られ、インターネットサービスプロバイダ間を結ぶインターネットのバックボーン回線などに用いられる。ＳＯＮＥＴ／ＳＤＨは、ＯＣ−Ｎ：ＯＣ−１９２／ＯＣ−４８／ＯＣ−１２等光伝送レベルの通信サービスを提供する。ここで、ＯＣ−Ｎは、ＯＣ−１（５１．８４Ｍｂ／ｓ）を基本として、その整数倍（Ｎ倍）の伝送レベルを指定するＳＯＮＥＴの規格である。ＳＯＮＥＴという用語は、主として北米にて使用される。一方、ＳＯＮＥＴに対応する日本および欧州等における規格がＳＤＨである。両者は、ＳＯＮＥＴ／ＳＤＨのように呼ばれる。
【０００３】
このＳＯＮＥＴ／ＳＤＨ上のネットワークアプリケーションとしては、ターミナル構成、Linear ＡＤＭ（Add Drop Multiplex）構成、ＵＰＳＲ(Uni-directional Path Switched Ring)構成、２Ｆ−ＢＬＳＲ（Bi-directional Line Switched Ring）構成、４Ｆ−ＢＬＳＲ構成などが挙げられる。
【０００４】
図１に、ターミナル構成によるネットワークを示す。図１のように、ターミナル構成では、端局中継装置（ＡＤＸ装置ともいう）がポイントツーポイントで接続される。この構成では、端局中継装置は、１＋１（現用系伝送路１、予備系伝送路１のライン構成）等のＡＰＳ（Automatic Protection Switch）による回線冗長機能をサポートする。
【０００５】
この構成では、各端局中継装置のＳＯＮＥＴ／ＳＤＨ側（以下、高次群側と呼ぶ）のスロットには、ＯＣ−Ｎカードと呼ばれるインターフェースカードが装着されている。このＯＣ−Ｎカードは、上記ＯＣ−Ｎ（例えば、ＯＣ−４８）の伝送レベルをサポートするインターフェースである。
【０００６】
図１のように、ターミナル構成では、ＯＣ−Ｎカードが現用系（Working traffic）お
よび予備系（Protection Traffic）に対して１枚ずつ使用される。また、現用系に対して送受信用に２本の光ファイバＦ１、Ｆ２が接続される。同様に、予備系に対して送受信用に２本の光ファイバＦ３、Ｆ４が接続される。
【０００７】
このＯＣ−Ｎカードは、クロスコネクト処理回路（ＸＣ card）およびラインスイッチ
（Line SW）またはラインブリッジ（Line BR）を介して、ＳＯＮＥＴ／ＳＤＨに接続される下位のネットワーク（以下、低次群と呼ぶ）へのインターフェースカード（INF Card）と接続される。この場合、低次群からＳＯＮＥＴ／ＳＤＨへ向かう伝送路を挿入（アッド）方向の伝送路という。また、ＳＯＮＥＴ／ＳＤＨから低次群へ向かう伝送路をドロップ方向の伝送路という。
【０００８】
さらに、ターミナル構成構成では、低次群からの信号は、例えば、ラインブリッジ３００を通して、現用系（Working traffic）および予備系（Protection Traffic）の伝送路
の双方から送信される。一方、現用系（Working traffic）および予備系（Protection Traffic）の伝送路の双方から受信される信号は、例えば、ラインスイッチ３０１により、
伝送品質のよい方の伝送路の信号が選択される。
【０００９】
図２に、Linear ＡＤＭ構成によるネットワークを示す。Linear ＡＤＭ構成では、３以上の端局中継装置（ＡＤＸ装置）が線状に接続される。図２は、そのリンク上の中間(中
継)局に位置する端局中継装置（ＡＤＸ装置）の詳細を示している。Linear ＡＤＭ構成においても、端局中継装置は、装置内で挿入（アッド）／ドロップ機能による経路設定を行うとともに、図１と同様の回線の冗長化を図る。
【００１０】
図３に、ＵＰＳＲ構成によるネットワークを示す。図３のように、ＵＰＳＲ構成では、端局中継装置は、２系統の光ファイバＦ１、Ｆ２〜Ｆ３、Ｆ４によるリングネットワークに接続される。このようなリング形状のネットワークでは、上記２系統のうち、１つの端局中継装置から見て左側に位置するインターフェースを例えば、イースト側（東側、Ｅａｓｔ）インターフェースと呼ぶ。また、１つの端局中継装置から見て右側に位置するインターフェースをウェスト側（西側、Ｗｅｓｔ）のインターフェースと呼ぶ。ただし、このイースト側、ウェスト側という呼び名は、単に接続方向を識別するための便宜的な名称であり、実際の地理上の方角とは、直接関係しない。
【００１１】
図３の例では、イースト側のＯＣ−ＮカードにファイバＦ１およびＦ２が接続されている。また、また、ファイバＦ１へは右回り方向の信号が送信されている。また、ファイバＦ２からは左回り方向の信号が受信されている。
【００１２】
同様に、ウェスト側のＯＣ−ＮカードにファイバＦ３およびＦ４が接続されている。また、ファイバＦ３へは左回り方向の信号が送信されている。また、ファイバＦ４からは右回り方向の信号が受信されている。
【００１３】
図３に示すような高速側回線（ＯＣ−Ｎ）がＵＰＳＲ構成の場合、システム（リング・ネットワーク）上で各ノード（端局中継装置）間通信に割り当てられる信号チャンネルは、例えば、ＳＴＳ−１あるいはＯＣ−１等と呼ばれる伝送レベルを単位とし、例えば、全体でＮチャンネル分の回線容量を構成する。
【００１４】
装置内のＴＳＩ（Time Space Interchange）、および各種プロテクション切替処理を担うカード上では、例えば、低次群側回線（Ｔｒｉｂｕｔａｒｙ回線）が高次群側回線（ＯＣ−Ｎ  ＵＰＳＲ）方向に回線設定される。すなわち、低次群側回線は、ＵＰＳＲネットワーク上のＳＴＳ−１×Ｎチャンネル分の回線の中から、該当回線に割り当てられる。この割当処理を挿入（アッド）処理と呼ぶ。
【００１５】
この挿入処理の際に、ブリッジ３００により同一回線の信号をイースト側およびウェスト側の両方に割り当てることで、その回線の信号がリングネットワーク上を異なる経路で伝送され、冗長構成が実現される。
【００１６】
一方、信号の受信側ノード（端局中継装置）では前記とは逆方向、（高次群側回線→低次群側回線）への回線設定がなされる。その場合、高次群のイースト側およびウェスト側のチャンネルが抽出され、低次群側の回線上に割り当てられる。
【００１７】
すなわち、高次群側の回線上の終端対象となるイースト側およびウェスト側の各回線信号が抽出される。そして、パススイッチ３０１により回線でのパスアラーム等の検出状況から回線品質のよい方の回線がパスレベルで選択される。
【００１８】
これに対し、伝送路（ライン）の切断時等に、ライン単位で救済することをラインプロテクションと呼ぶ。また、ラインプロテクションに使用され、ライン単位で現用系と予備系とを切り替えるスイッチをラインスイッチと呼ぶ。
【００１９】
なお、ライン単位で信号を現用系と予備系に分岐させる部品をラインブリッジという。
【００２０】
図４に、２Ｆ−ＢＬＳＲ構成によるネットワークを示す。図４のように、２Ｆ−ＢＬＳＲ構成でも、端局中継装置は、ＵＰＳＲ構成と同様、２系統の光ファイバＦ１、Ｆ２〜Ｆ３、Ｆ４によるリングネットワークに接続される。
【００２１】
ただし、ＢＬＳＲ構成のネットワークでは、端局中継装置（ＡＤＸ装置）が送信時にイースト側およびウェスト側の２方向に同一信号を送信することはしない。このような２系統（２ライン）の光ファイバによるリング構成で障害が発生した場合に、ＡＰＳ（Automatic Protection Switch）プロトコルのＯＨ(Over Head)バイトを用いてライン単位でループバック(Bridge)制御を実行し、現用回線（Working channel）の信号を予備回線（Protection channel)へ移し替える。これにより、ＢＬＳＲ構成のネットワークにおいて、回線の救済が図られる。
【００２２】
図５に、４Ｆ−ＢＬＳＲ構成によるネットワークを示す。４Ｆ−ＢＬＳＲ構成では、端局中継装置は、４系統（４ライン）の光ファイバによるリングネットワークに接続される。４Ｆ−ＢＬＳＲ構成では、端局中継装置は、４ファイバリング構成により、１＋１ラインプロテクションでの回線救済、現用回線／予備回線両方断時のＡＰＳプロトコルのＯＨバイトを用いたライン単位のループバック動作での回線救済を実行する。
【００２３】
これらの端局中継装置は、上記ネットワーク上の回線設定（ＴＳＩ）を主要機能とする。回線設定とは、ＯＣ−Ｎ信号フレーム上にマッピングされている回線単位に応じたスルー／アッド／ドロップ（Through/Add/Drop）処理をいう。この端局中継装置は、上記のような各種アプリケーションに対応した機能を併用しており、１つの装置が複数のアプリケーションにおいて共用化されている。
【００２４】
図５は、高次群側回線（ＯＣ−Ｎ）が４Ｆ−ＢＬＳＲで構成されたネットワークの例である。上述のように、４Ｆ−ＢＬＳＲは、通常時回線の半分を現用回線、残り半分を予備回線とした２Ｆ−ＢＬＳＲ構成と、１＋１ラインプロテクション／ＢＬＳＲ用回線救済とを併用している。
【００２５】
以上のような端局中継装置は、各種ネットワーク・アプリケーションに対応して、該当するネットワーク（ＯＣ−Ｎ）の伝送レベルに対応したインターフェースカード（ＯＣ−Ｎカードと呼ぶ）を有する。また、この端局中継装置は、各種プロテクション切替機能を具備した回線設定（クロスコネクト）用カードを主要構成として有する。
【００２６】
図６に、複数のプロテクション機能を実装した端局中継装置の構成例を示す。図６において、インターフェースカード（ＩＮＦｃａｒｄ＃１〜＃ｎ）は、高次群側の各種伝送レベルに対応したＯＣ−Ｎインターフェース機能ユニット、または低次群側回線へのインターフェース機能ユニットである。
【００２７】
これらのインターフェースカードは、ＯＣ−Ｎ伝送フレームの生成／終端機能を目的とし、１＋１冗長構成時の現用回線（Ｗｏｒｋ）／予備回線（Ｐｒｏｔｅｃｔ）、または、リング構成時のイースト／ウェスト側伝送ユニット、低次群としてのアッド／ドロップユニットとして使用される。
【００２８】
クロスコネクト処理ユニット（ＸＣ）の前後に設けられたシステムブロック（Ｓｙｓ＃１〜＃ｍ）は、回線設定により各種ネットワーク・アプリケーションに対応した予備回線切替を行う。例えば、システムブロックは、前記ＯＣ−Ｎレベルの伝送路に対し１＋１冗長構成時には伝送路（ライン）に対するＡＰＳプロトコルにしたがった、ライン切替処理
を実現する。さらに、システムブロックおよびクロスコネクト処理ユニットは、回線設定（アッド／ドロップ／スルー）機能により、多様なアプリケーションに対応可能なシステムを構築する。
【００２９】
ところが、こうした従来例に示す端局中継装置の構成においては，各種予備回線切替処理回路、およびクロスコネクト処理ユニットが対応するインターフェースカードに対して固定的な配置構成であった。
【００３０】
さらに、従来は、ライン単位で現用系／予備系を切り替えるラインプロテクションの切替回路と、チャンネル単位で現用系／予備系を切り替えるパスプロテクションの切替回路をセレクタ回路として共用するものがあった。
【００３１】
また、従来、ライン／パスプロテクション等の切替回路を直列構成としているものがあった。例えば、図６の構成では、Ｌｉｎｅ  ＡＰＳ処理を実行するシステムブロック３１０とＢＬＳＲ処理を実行するシステムブロック３１１が直列に接続されている。
【００３２】
この構成では、Ｌｉｎｅ  ＡＰＳ処理を実行する場合には、ＢＬＳＲ処理を実行するシステムブロック３１１は、スルーに設定された。また、ＢＬＳＲ処理を実行する場合には、Ｌｉｎｅ  ＡＰＳ処理を実行するシステムブロック３１０は、スルーに設定された。
【００３３】
このように、従来、切替回路を複数の機能で共用する構成、あるいは、複数の切替回路を直列接続し、一方を使用し、他方をスルーに設定するような構成が採用されていた。そのような構成では、一旦、運用が開始されると、１つの切替回路が複数の機能で共用されているため、その切替回路を他の機能と独立して変更できないという問題があった。そして、その切替回路に接続されるインターフェースカードの装置内収容位置（Ｓｌｏｔ）やアップグレード方法／機能に制限がついてしまうという問題を生じていた。
【特許文献１】特開平１１−３１３０９６号公報
【発明の開示】
【発明が解決しようとする課題】
【００３４】
すなわち、従来の技術におけるクロスコネクト処理回路を有する装置では、回線設定以外に必要とする各種プロテクション切替機能へのインターフェースが該当するインターフェースカードのスロットに対して固定した接続関係にあった。このため、インターフェースカードの装置内収容位置（スロット）に制限がつくことで、インターフェースカードの増設／交換等システム再構築（インサービス・アップグレード含む）に際し、回線断、または、回線再設定などが必要となった。したがって、このようなシステム再構成と顧客に対する十分なサービスの提供とを両立することが困難になるという問題があった。
【００３５】
また、ＢＬＳＲネットワーク上においては、ノード間回線障害時の現用回線救済動作として予備回線のパススルーを実行していた。すなわち、障害が発生したリンクに接続された端局中継装置は、そのリンク方向と逆方向のリンクにチャンネルをループバックし、逆方向リングによりその回線を救済した。
【００３６】
このパススルーに際し、回線正常時の回線（チャンネル）と、スルー設定時の回線（チャンネル）とを同一チャンネルとして固定していた。パススルーに際して、チャンネル、すなわち、タイムスロットの変更を認めると、正常時のチャンネルが救済動作によってどのチャンネルに対応するかが認識できなくなるからである。しかし、そのような固定的なタイムスロット割付処理のため、ネットワーク上の回線効率を上げることができない問題が生じていた。
【００３７】
さらに、以上のような多様なネットワーク・アプリケーションに対応し、かつコンパクト化を目指す伝送装置においては、クロスコネクト処理回路の処理能力向上に対する要求が高まっている。その中で主信号のクロスコネクト処理を含めて、各種プロテクション切替回路に対する信号容量による負荷が非常に大きくなっている。
【００３８】
本発明はこのような従来の技術の問題点に鑑みてなされたものである。すなわち、本発明の課題は、端局中継装置を含むネットワークのシステム再構成、あるいは、現用回線／予備回線切り替えを柔軟に実行し、顧客に対する十分なサービスと機能を提供することにある。
【課題を解決するための手段】
【００３９】
本発明は上記課題を解決するために、以下の手段を採用した。すなわち、本発明は、ネットワーク上での回線設定を含むクロスコネクト処理を実行する、そのようなクロスコネクト処理回路と、上記クロスコネクト処理回路の入力側にあって上記ネットワーク上での回線を提供する現用系伝送路と上記現用系伝送路の代替伝送路となる予備系伝送路とを切り替える、そのような複数の第１伝送路切替部と、上記クロスコネクト処理回路の出力側にあって上記ネットワーク上での回線を提供する現用系伝送路と上記現用系伝送路の代替伝送路となる予備系伝送路とを切り替える、そのような複数の第２伝送路切替部とを有する上記ネットワークの端局中継装置である。さらに、上記クロスコネクト処理回路は、複数の入力側インターフェースと複数の出力側インターフェースとを有し、上記第１伝送路切替部および第２伝送路切替部は、各々入力側インターフェースと出力側インターフェースとを有している。
【００４０】
そして、上記端局中継装置は、上記ネットワーク上の伝送路へのインターフェース部または上記ネットワークに接続される下位ネットワークへのインターフェース部を挿入され、上記ネットワークまたは上記下位ネットワークへの上記インターフェース部上の送信端子および受信端子に受容する、そのような複数のスロット部と、
上記いずれかのスロット部に挿入される上記インターフェース部上の受信端子を上記いずれかの第１伝送路切替部の入力側インターフェースに選択的に接続する第１選択部と、
上記第１伝送路切替部の出力側インターフェースを上記クロスコネクト処理回路の入力側インターフェースに接続する第２選択部と、
上記クロスコネクト処理回路の出力側インターフェースを上記第２伝送路切替部のいずれかの入力側インターフェースに選択的に接続する第３選択部と、
上記第２伝送路切替部の出力側インターフェースを上記いずれかのスロット部に挿入される上記インターフェース部上の送信端子に接続する第４選択部と、
を備える。
【００４１】
好ましくは、上記第２選択部は、上記第１選択部および上記第１伝送路切替部を介して接続される上記受信端子を、その受信端子を含むインターフェースが挿入されるスロット位置に対応付けられる、上記クロスコネクト処理回路の入力側インターフェースに接続するものでもよい。
【００４２】
すなわち、第１選択部および第２選択部の組み合わせにより、上記受信端子は、その受信端子を含むスロット位置に対応する上記クロスコネクト処理回路の入力側インターフェースに接続される。ここで、スロット位置に対応するとは、上記各スロット位置の論理的な位置関係と、例えば、上記クロスコネクト処理回路の入力側の各インターフェースの論理的な位置関係とが対応することをいう。
【００４３】
好ましくは、上記第３選択部は、上記第２伝送路切替部および上記第４接続部を介して接続される、そのような上記送信端子を、その送信端子を含むインターフェースが挿入さ
れるスロット位置に対応付けられる、上記クロスコネクト処理回路の出力側インターフェースに接続するものでもよい。
【００４４】
すなわち、第３選択部および第４選択部の組み合わせにより、上記送信端子は、その送信端子を含むスロット位置に対応する上記クロスコネクト処理回路の出力側インターフェースに接続される。
【００４５】
好ましくは、上記ネットワークの伝送品質を判断する品質判断部をさらに備え、
上記第１伝送路切替部または上記第２伝送路切替部は、上記伝送品質に応じて上記現用系伝送路と予備系伝送路とを切り替えるものでもよい。
【００４６】
また、本発明は、第１の方向への現用系伝送路と第１の方向への予備系伝送路とを有する第１リング伝送路と、第２の方向への現用系伝送路と第２の方向への予備系伝送路とを有する第２リング伝送路とを含むネットワークに接続される端局中継装置であり、この端局中継装置は、
上記ネットワーク上の通信チャンネルのクロスコネクト処理を実行する、そのようなクロスコネクト処理回路と、
上記クロスコネクト処理回路に対し、上記ネットワークからの受信側にあって上記第１方向からの現用系伝送路と現用系伝送路の代替伝送路となる上記第２方向からの予備系伝送路とを切り替える、そのような複数の第１伝送路切替部と、
上記クロスコネクト処理回路に対し、上記ネットワークへの送信側にあって上記第１方向への現用系伝送路と上記現用系伝送路の代替伝送路となる上記第２方向への予備系伝送路とを切り替える、そのような複数の第２伝送路切替部とを備えることが望ましい。
【００４７】
そして、上記第１伝送路切替部は、上記現用系伝送路において通信中の通信チャンネルを識別するチャンネル情報の検出手段と、
上記チャンネル情報に基づき、上記現用系伝送路において使用された通信チャンネルに対応する、そのような予備系伝送路に含まれる通信チャンネルを識別するチャンネル識別手段と、
上記現用系伝送路の通信チャンネルを、上記チャンネル識別手段に基づき識別される予備系伝送路の通信チャンネルに切り替えるスイッチ部とを有することが好適である。
【００４８】
この端局中継装置によれば、予備系への切替に際し、現用系で使用されていた通信チャンネルを識別するチャンネル識別情報により、予備系のチャンネルが識別される。すなわち、チャンネル識別情報により、現用系に対応する予備系チャンネルが選択され、切替られる。
【００４９】
好ましくは、上記クロスコネクト処理回路に対し、上記ネットワークから受信側にあって上記第２方向からの現用系伝送路と現用系伝送路の代替伝送路となる上記第１方向からの予備系伝送路とを切り替える、そのような複数の第３伝送路切替部と、
上記クロスコネクト処理回路に対し、上記ネットワークへの送信側にあって上記第２方向への現用系伝送路と上記現用系伝送路の代替伝送路となる上記第１方向への予備系伝送路とを切り替える、そのような複数の第４伝送路切替部とをさらに備え、
上記第３伝送路切替部は、上記現用系伝送路において通信中の通信チャンネルを識別するチャンネル情報の検出手段と、
上記チャンネル情報に基づき、上記現用系伝送路において使用された通信チャンネルに対応する、そのような予備系伝送路に含まれる通信チャンネルを識別するチャンネル識別手段と、
上記現用系伝送路の通信チャンネルを、上記チャンネル識別手段に基づき識別される予備系伝送路の通信チャンネルに切り替えるスイッチ部とを有するものでもよい。
【００５０】
この第３伝送路切替部は、上記第１伝送路切替部への受信信号とは異なる方向（第２方向）からの受信信号を切り替える。すなわち、第３伝送路切替部は、その第２方向からの受信信号の通信チャンネルを上記チャンネル情報により識別し、現用系と予備系との間で切り替える。
【００５１】
好ましくは、上記第１リング伝送路において、現用系伝送路と予備系伝送路とが各々異なる伝送媒体を有し、上記第２リング伝送路において、現用系伝送路と予備系伝送路とが各々異なる伝送媒体を有するものでもよい。
【００５２】
また、本発明は、ネットワーク上での回線設定を含むクロスコネクト処理を実行する、そのようなクロスコネクト処理回路と、
上記クロスコネクト処理回路を制御する制御回路と備える端局中継装置であり、
上記制御回路は、
上記ネットワークの伝送路に対応する複数の回線を含む制御伝送路と、
上記制御伝送路において上記回線を切り替える切替部と、
上記切替部による切替後の回線と切替前の回線との対応関係を上記クロスコネクト処理回路に設定する設定部とを備えるものでもよい。
【００５３】
このように、本端局中継装置は、ネットワークの伝送路に対応する複数の回線を含む制御伝送路を備える。その結果、ネットワークの伝送路から独立して、その伝送路上の回線に対するクロスコネクト処理の対応関係を生成することができる。したがって、ネットワークの伝送路そのものに影響を受けずにその伝送路のクロスコネクト処理回路を設定する制御情報を得ることができる。
【００５４】
好ましくは、上記回線を識別する識別情報を発生して、その識別情報を上記制御伝送路の対応する回線に入力する識別情報発生部をさらに備えるものでもよい。この識別情報を制御伝送路の対応する回線に入力することで、クロスコネクト処理前後の対応関係を認識することができる。
【００５５】
好ましくは、上記制御伝送路は、上記ネットワークに含まれる現用系伝送路に対応する複数の回線を含む第１制御伝送路と、上記ネットワークに含まれる予備系伝送路に対応し、上記第１制御伝送路の代替伝送路となる上記第２制御伝送路とを有し、
上記切替部は、上記第１制御伝送路と第２制御伝送路との間で回線を切り替えるものでもよい。
【００５６】
好ましくは、上記制御伝送路は、上記ネットワークへの加入側回線を含む第３伝送路と、上記ネットワークからの離脱側回線を含む第４伝送路とをさらに有し、
上記切替部は、該切替部への入力側において、上記記第１制御伝送路、第２制御伝送路、または、第３伝送路との間で回線を切り替える入力側切替部と、該切替部への出力側において、上記第１制御伝送路、第２制御伝送路、または、第４伝送路との間で回線を切り替える出力側切替部とを有するものでもよい。
【００５７】
また、本発明は、上記中継を実行する中継方法であってもよい。
【発明の効果】
【００５８】
本発明によれば、端局中継装置を含むネットワークのシステム再構成、あるいは、現用回線／予備回線切り替えを柔軟に実行し、顧客に対する十分なサービスと機能を提供する。
【発明を実施するための最良の形態】
【００５９】
以下、図面を参照して、本発明の好適な実施の形態を説明する。
《第１実施形態》
以下、本発明の第１実施形態に係るネットワークの端局中継装置を図７から図１１の図面に基づいて説明する。ここでは、本発明をＮＮＩ(Network Node Interface)に準拠したＳＯＮＥＴ／ＳＤＨ光ネットワーク（ＯＣ−Ｎレベル）上のＡＤＸ（アッド、ドロップクロスコネクト処理）装置に適用した一例を説明する。以下、このようなＡＤＸ装置を端局中継装置と呼ぶ。
【００６０】
本実施形態に係る端局中継装置１は、各種システムアプリケーションを構築するインターフェースカードの対(現用回線用／予備回線用／アッド用／ドロップ用またはイースト
側回線用/ウェスト側回線用／アッド用／ドロップ用)をスロット位置に制限をつけることなく接続する。すなわち、この端局中継装置１は、任意のスロット位置に現用回線用／予備回線用、イースト側回線/ウェスト側回線、またはアッド回線／ドロップ回線を接続し
てネットワークを構築可能にする。
【００６１】
ただし、すべての組合せを構築しようとすると膨大な回路規模となり実現性が困難となる。このため、ハードウェア構成としては、現用回線用／予備回線用またはイースト側回線/ウェスト側回線を切り替える処理部をＯＣ−４８（ＳＴＳ−１×４８ｃｈ）単位に括
りつけたブロック(以降システムブロックと称する）で構成する。そして、このシステム
ブロック内で伝送路の切り替え・切り戻し処理を実行するＬｉｎｅ  ＡＰＳ処理部またはＢＬＳＲ処理部が具備される。
【００６２】
さらに、本端局中継装置１は、スロットに挿入されたインターフェースの受信端子と各システムブロックの入力側端子、またはシステムブロックの出力側端子からスロットに挿入されたインターフェースの送信端子への接続を自在に実現するアプリケーションセレクタを具備する。このアプリケーションセレクタにより回路規模を抑え、かつ、すべての任意スロットの対構成を実現する。
【００６３】
さらに、クロスコネクト処理回路の入力側ではシステムブロック出力からスロット位置へ戻すためのアプリケーションセレクタを具備する。また、クロスコネクト部の出力側でもスロット位置からシステムブロックの入力側へのアプリケーションセレクタを具備する。
【００６４】
このようなアプリケーションセレクタにより、クロスコネクト位置を実際の端局中継装置１前面のスロット基準で設定可能とする。したがって、ユーザはハードウェア内部のシステムブロックを意識することなくクロスコネクトを設定できる。なお、以下の実施形態では、クロスコネクトの対象となる通信路（例えば、ＯＣ−１）を回線またはチャンネルと呼ぶ。
【００６５】
図７に、本実施形態に係る端局中継装置１の構成を示す。図７に示すように、この端局中継装置１は、クロスコネクト処理回路２と、クロスコネクト処理回路２の前後（図７の左右）に設けられる各種スイッチ回路とを有する。
【００６６】
ここでは、図７の紙面に向かってクロスコネクト処理回路２の左側に、端局中継装置１の入力側回路（受信側回路）が構成されているものとする（ＩＮ矢印で示す）。また、クロスコネクト処理回路１の右側に、端局中継装置１の出力側回路（送信側回路）が構成されているものとする（ＯＵＴ矢印で示す）。
【００６７】
入力側回路は、各種インターフェースカードを挿入するスロット３−１から３−ｎと、
Ｌｉｎｅ  ＡＰＳ処理を実行する入力側のシステムブロック４−１から４−ｍおよびＢＬＳＲ処理を実行する入力側のシステムブロック５−１から５−ｍと、スロット３−１から３−ｎをシステムブロック４−１から４−ｍの入力側に接続するアプリケーションセレクタ６−１と、スロット３−１から３−ｎをシステムブロック５−１から５−ｍの入力側端子に接続するアプリケーションセレクタ６−２と、システムブロック４−１から４−ｍの出力側端子を２：１セレクタ１０を介してクロスコネクト処理回路２の入力側端子に接続するアプリケーションセレクタ７−１と、システムブロック５−１から５−ｍの出力側端子を２：１セレクタ１０を介してクロスコネクト処理回路２の入力側端子に接続するアプリケーションセレクタ７−２とを有している。
【００６８】
出力側回路は、各種インターフェースカードを挿入するスロット３−１から３−ｎと、Ｌｉｎｅ  ＡＰＳ処理を実行する出力側のシステムブロック１４−１から１４−ｍおよびＢＬＳＲ処理を実行する出力側のシステムブロック１５−１から１５−ｍと、クロスコネクト処理回路２の出力側端子をシステムブロック１４−１から１４−ｍの入力側端子に接続するアプリケーションセレクタ１７−１と、クロスコネクト処理回路２の出力側端子をシステムブロック１５−１から１５−ｍの入力側端子に接続するアプリケーションセレクタ１７−２と、システムブロック１４−１から１４−ｍの出力側端子を２：１セレクタ２０を介してスロット３−１から３−ｎに接続するアプリケーションセレクタ１６−１と、システムブロック１５−１から１５−ｍの出力側端子を２：１セレクタ２０を介してスロット３−１から３−ｎに接続するアプリケーションセレクタ１６−２とを有している。
【００６９】
ここで、出力側回路のスロット３−１から３−ｎと入力側回路のスロット３−１から３−ｎは、同一のスロットである。ただし、このスロット３−１から３−ｎに接続されるインターフェースカードは、各々入力端子および出力端子を有し、各々異なるファイバが接続される。そこで、図７では、便宜的に、スロット３−１から３−ｎを端局中継装置１の両側に配置している。そして、端局中継装置１の左側に配置されているスロット３−１から３−ｎは、受信インターフェースに対応し、入力側ファイバまたは入力低速側伝送路に接続される（ＩＮ矢印で表示）。また、端局中継装置１の右側に配置されているスロット３−１から３−ｎは、送信インターフェースに対応し、出力側ファイバまたは出力低次群伝送路に接続される（ＯＵＴ矢印で表示）。
【００７０】
本実施形態では、スロット３−１から３−ｎには、高次群側のＯＣ−Ｎ（例えば、ＯＣ−４８）レベルの伝送路、または、このＯＣ−Ｎレベルに挿入（アッド）される低次群側の伝送路と接続するインターフェースカードが接続される。
【００７１】
例えば、高次群側伝送路がターミナル（１＋１）、またはＬｉｎｅ  ＡＤＭのネットワークを構成する場合には、現用系または予備系のＯＣ−Ｎレベルのインターフェースカードがスロット３−１から３−ｎのいずれかに挿入される。
【００７２】
また、高速側伝送路がＵＰＳＲまたはＢＬＳＲを構成する場合には、イースト側またはウェスト側のＯＣ−Ｎレベルのインターフェースカードがスロット３−１から３−ｎのいずれかに接続される。
【００７３】
さらに、アプリケーションセレクタ６−１および６−２は、受信側のスロット３−１から３−ｎをシステムブロック４−１から４−ｍおよび５−１から５−ｍの入力端子のいずれかに接続する。
【００７４】
その場合、高次群側伝送路に対して、システムブロック４−１から４−ｍの各々の入力側端子には、現用系（図７にＷｏｒｋで示す）および予備系（図７にＰｒｏｔｅｃｔで示す）の伝送路（またはＵＰＳＲにおけるイースト／ウェストの伝送路）が接続される。
【００７５】
そして、システムブロック４−１から４−ｍは、現用系と予備系との間でＬｉｎｅ−ＡＰＳ処理、すなわち、品質のよい方の回線の信号を選択する。すなわち、システムブロック４−１から４−ｍは、伝送品質にしたがい現用系と予備系とをＯＣ−Ｎ単位で切り替える。このような選択処理を実行する回路がラインスイッチである。
【００７６】
一方、低次群側伝送路は、上記システムブロック４−１から４−ｍの現用系または予備系のいずかに対応する入力側端子に接続される。低次群側伝送路からの端局中継装置１への接続は、挿入処理を実現する。なお、本実施形態において、低次群側伝送路は、冗長化されておらず現用系のみである。
【００７７】
また、システムブロック５−１から５−ｍの各々の入力側端子には、ＢＬＳＲを構成するイースト側（図７にＥａｓｔで示す）およびウェスト側（図７にＷｅｓｔで示す）の伝送路が接続される。
【００７８】
また、システムブロック５−１から５−ｍは、イースト側とウェスト側の間でＢＬＳＲにおける受信側処理を実行する。ＢＬＳＲ処理の詳細については、別途図１１により詳述する。
【００７９】
アプリケーションセレクタ７−１および７−２は、システムブロック４−１から４−ｍおよび５−１から５−ｍの出力側端子を２：１セレクタを介してクロスコネクト処理回路２に接続する。このとき、アプリケーションセレクタ７−１は、システムブロック４−１から４−ｍの出力側端子をスロット３−１から３−ｎのスロット位置に対応するクロスコネクト処理回路２の端子に接続する。これにより、例えば、スロット３−１から３−ｎに接続される現用系のチャンネルは、システムブロック４−１から４−ｍへの接続に依存せず、元のスロット位置に対応する位置で、クロスコネクト処理回路２の端子に接続される。
【００８０】
したがって、現用系のチャンネルに対して、クロスコネクト処理回路２の設定は、システムブロック４−１から４−ｍへの接続に依存せず、スロット３−１から３−ｎの位置を基準に行えばよい。本実施形態では、このような設定をスロット基準によるクロスコネクト処理回路２の設定という。
【００８１】
２：１セレクタ１０は、アプリケーションセレクタ７−１および７−２の出力側端子のいずれかを選択してクロスコネクト処理回路２の入力側端子に接続する回路である。
【００８２】
ここで、スロット基準による設定を例示する。今、スロット３−１からスロット３−ｎに対して、スロット番号１からｎを割り当てた場合を想定する。今、これらのスロットに現用系のチャンネルが接続される場合を想定する。また、クロスコネクト処理回路２の入力側の端子に対して端子番号１からｎを割り当てた場合を想定する。
【００８３】
本端局中継装置では、システムブロック４−１から４−ｍおよび５−１および５−ｍによる処理に依存せず、現用系のチャンネルに接続されるスロット番号１〜ｎのスロット３−１から３−ｎは、各々、クロスコネクト処理回路２の入力側端子１〜ｎに接続される。
【００８４】
これは、アプリケーションセレクタ６−１および６−２によってスロット３−１から３−ｎがシステムブロック４−１から４−ｍまたは５−１から５−ｍのいずれかの入力側端子に接続された後、アプリケーションセレクタ７−１および７−２（および２：１セレクタ１０）によってシステムブロック４−１から４−ｍまたは５−１から５−ｍの出力端子が元のスロット番号に対応する端子番号のクロスコネクト処理回路２の入力側端子に接続
されるからである。
【００８５】
すなわち、本端局中継装置１によれば、システムブロック４−１から４−ｍまたは５−１から５−ｍに入力するために設定されるアプリケーションセレクタ６−１および６−２の接続関係がアプリケーションセレクタ７−１、７−２および２：１セレクタ１０により元に戻される。
【００８６】
クロスコネクト処理回路２は、入力側端子を出力側端子に接続するともに、入力側伝送路上でのタイムスロットを出力側伝送路上でのタイムスロットに変換する。このクロスコネクト処理回路２の処理により、チャンネルが空間的な伝送路およびタイムスロットにおいて変換される。この処理をＴＳＩ（Time Space Interchange）という。このＴＳＩにより、クロスコネクト処理回路２の出力側端子には、入力側のいずれかの端子に接続される現用系チャンネル／予備系チャンネル、イースト側チャンネル／ウェスト側チャンネル、または低速側伝送路から端局中継装置で挿入されるチャンネルが接続される。
【００８７】
アプリケーションセレクタ１７−１および１７−２は、クロスコネクト処理回路２の出力側端子をシステムブロック１４−１から１４−ｍおよび１５−１から１５−ｍの入力端子のいずれかに接続する。
【００８８】
このうち、システムブロック１４−１から１４−ｍの各々の入力側端子には、現用系（図７にＷｏｒｋで示す）、予備系（図７にＰｒｏｔｅｃｔで示す）の伝送路、または低速側伝送路からのチャンネルが接続される。
【００８９】
なお、この場合、システムブロック４−１等の出力側端子からシステムブロック１４−１等の入力側端子までの間（図７において、システムブロック４−１から４−ｍと、システムブロック１４−１から１４−ｍとに挟まれた回路）には、基本的には、現用系の信号しか存在しない。高次群のデータに対しては、ラインスイッチ２２等により、ＡＰＳ処理が実行され、低次群のデータは、スルーされるからである。
【００９０】
しかし、本実施形態の端局中継装置１は、他のアプリケーションへの適用も考慮し、システムブロック４−１等の出力側端子以降に対しても、現用系と予備系の両方の伝送路を有している。例えば、図７では、アプリケーションセレクタ７−１、１７−１の入出力端子、およびシステムブロック１４−１から１４−ｍの入力側端子には、現用系の信号（Work）の他、予備系の信号（Ｐｒｏｔｅｃｔ）が示されている。
【００９１】
システムブロック１４−１から１４−ｍは、出力信号を現用系と予備系の双方に分岐して送信する。このような分岐処理を実行する回路がブリッジである。
【００９２】
また、システムブロック１５−１から１５−ｍの各々の入力側端子には、リングを構成するイースト側（図７にＥａｓｔで示す）およびウェスト側（図７にＷｅｓｔで示す）の伝送路が接続される。
【００９３】
また、システムブロック１５−１から１５−ｍは、イースト側とウェスト側の間でＢＬＳＲにおける送信側処理を実行する。
【００９４】
例えば、システムブロック１５−１から１５−ｍは、イースト側の送信先に障害が発生した場合に、イースト側とウェスト側の間でＯＣ−Ｎ単位でループバック処理を実行する。これにより、イースト側からウェスト側への伝送路の折り返しが実現される。ＢＬＳＲ処理については、別途図１２により詳述する。
【００９５】
アプリケーションセレクタ１６−１、１６−２および２：１セレクタ２０は、システムブロック１４−１から１４−ｍおよび１５−１から１５−ｍの出力側端子を対応するスロット番号のスロットに接続する。ここで、対応するスロットとは、システムブロック１４−１から１４−ｍおよび１５−１から１５−ｍの各入力側端子に接続されるクロスコネクト処理回路２の出力側端子に対応するスロットをいう。
【００９６】
今、出力側（図７でＯＵＴ矢印で示される側）で現用系チャンネルに接続されるスロット１３−１からスロット１３−ｎに対して、スロット番号１からｎを割り当てた場合を想定する。また、クロスコネクト処理回路２の出力側の端子に対して端子番号１からｎを割り当てた場合を想定する。
【００９７】
本端局中継装置１では、現用系チャンネルについては、システムブロック１４−１から１４−ｍおよび１５−１から１５−ｍによる処理に依存せず、クロスコネクト処理回路２の出力側端子１〜ｎは、各々、対応するスロット番号１〜ｎのスロット１３−１から１３−ｎに接続される。この機能は、アプリケーションセレクタ６−１、６−２、７−１、７−２および２：１セレクタ１０と同様である。
【００９８】
図８に、本端局中継装置１、１により、実際にＯＣ−Ｎのインターフェースカードでターミナル（１＋１）構成のアプリケーションを構築した例を示す。この構成では、スロット３−２（Slot#2）とスロット３−３（Slot#3）に高次群側とインターフェースをとる現用系カードおよび予備系カードを、また、スロット３−５（Slot#5）に低次群側とインターフェースをとるカードを装着している。
【００９９】
この構成において、高次群側では、２本の光ファイバＦ１、Ｆ２が現用系の送信伝送路と受信伝送路を構成する。また、他の２本の光ファイバＦ３、Ｆ４が予備系の送信伝送路と受信伝送路を構成する。
【０１００】
スロット３−５に装着されたインターフェースカードは、ケーブルＣ２から入力された電気信号を光信号に変換する。そして、低次群側からの信号がＯＣ−Ｎ（例えば、ＯＣ−４８）の単位でラインブリッジ２１によって現用系チャンネル（Ｗｏｒｋ）と予備系チャンネル(Ｐｒｏｔｅｃｔ)に分岐される。現用系チャンネルは、スロット３−２（Slot#2）の出力端子を通じてファイバＦ１に出力される。また、予備系チャンネルは、スロット３−３（Slot#3）の出力端子を通じてファイバＦ３に出力される。
【０１０１】
一方、高次群の入力チャンネルについては、現用系チャンネルは、スロット３−２（Slot#2）の入力端子を通じてファイバＦ２から入力される。また、予備系チャンネルは、ス
ロット３−３（Slot#3）の入力端子を通じてファイバＦ４から入力される。
【０１０２】
このスロット３−２およびスロット３−３に入力された高次群のチャンネルは、ＯＣ−Ｎ（例えば、ＯＣ−４８）の単位でラインスイッチ２２により、選択される。そして、選択されたチャンネルがスロット３−５に装着されたインターフェースカードを介して低次群側に出力される。すなわち、スロット３−５に装着されたインターフェースカードは、光信号を電気信号に変換し、ケーブルＣ１から出力する。
【０１０３】
図９に、図８のアプリケーションにおける端局中継装置１のクロスコネクト処理例を示す。図９は、図８のカード構成により、高次群から低次群へのドロップまたは低次群から高次群への挿入（アッド）を実現する例を示している。なお、端局中継装置１の構成要素は、図７で述べた通りである。
【０１０４】
まず、ドロップ方向においては、高次群側の現用系カードおよび予備系カードの伝送路
をアプリケーションセレクタ６−１を介してシステムブロック４−１へ接続する。そして、このシステムブロック４−１にて高次群側からの伝送データの伝送路品質を監視する。そして、その監視結果をトリガとして現用系／予備系の自動切替、すなわち、ＡＰＳ（Automatic Protection Switch）を実施する。この切替は、ラインスイッチ２２により実行
される。
【０１０５】
次にＡＰＳ処理されたデータは、アプリケーションセレクタ７−１を介してシステムブロック４−１の位置からスロット３−２（Slot#2）の位置に戻され、クロスコネクト処理回路２に接続される。ここで、スロット３−２（Slot#2）の位置に戻すとは、ＡＰＳ処理されたデータをスロット３−２のスロット番号（例えば、スロット番号２）に対応する端子番号（例えば、端子番号２）のクロスコネクト処理回路２の端子に接続することをいう。
【０１０６】
さらに、図９の例では、上記のＡＰＳ処理されたデータは、クロスコネト処理回路２にて低次群のカードが挿入されているスロット３−５（Slot#5）の位置に回線設定がなされる（クロスコネクト処理回路２の回線設定自体は、例えば、ユーザ指定に基づく）。
【０１０７】
クロスコネクトされたデータはアプリケーションセレクタ１７−１を介してシステムブロック１４−３に接続され、ＡＰＳ処理は行なわず、そのままスルーで抜ける。そして、このデータは、アプリケーションセレクタ１６−１を介して、スロット３−５（Slot#5）のカードへ接続され、低次群側へ出力される。
【０１０８】
次に挿入（アッド）方向においては、低次群側のスロット３−５（Slot#5）のカードからの伝送データがアプリケーションセレクタ６−１を介してシステムブロック４−３に接続される。システムブロック４−３は、低次群のデータに対しては、ＡＰＳ処理を行なわない。したがって、データは、そのままスルーで抜けアプリケーションセレクタ７−１を介し、システムブロック４−３の位置からスロット３−５（Slot#5）の位置に戻され、クロスコネクト処理回路２の入力側端子に接続される。
【０１０９】
さらに、クロスコネクト処理回路２にて高次群側の現用系カードが挿入されているスロット３−２（Slot#2）に回線設定がなされる。そして、クロスコネクトされたデータは、アプリケーションセレクタ１７−１を介してシステムブロック１４−１の現用系側に接続される。そして、システムブロック１４−１内のラインブリッジ２１により、予備系側への分岐処理後、アプリケーションセレクタ１６−１を介してスロット３−２（Slot#2）とスロット３−３（Slot#3）のインターフェースカードへ接続され、高次群側へ出力される。
【０１１０】
このように、入力側回路において現用系のチャンネルに接続されるスロット３−２の信号は、クロスコネクト処理回路２の対応する位置関係にある入力側端子に接続される。一方、予備系チャンネルに接続されるスロット３−３の信号は、ラインスイッチ２２において、スロット３−２の信号の予備系として使用される。
【０１１１】
また、出力側回路においても、現用系のチャンネルに接続されるスロット３−２の信号は、クロスコネクト処理回路２の対応する位置関係にある出力側端子に接続される。一方、予備系チャンネルに接続されるスロット３−３の信号は、ラインブリッジ２１により、スロット３−２の信号から分岐される。
【０１１２】
図１０に、システムブロック内の１＋１ＬｉｎｅＡＰＳ処理用のラインスイッチおよびラインブリッジの構成を示す。本実施形態では、１つのシステムブロック内の処理容量は、ＯＣ−Ｎ（例えば、ＯＣ−４８）２ファイバ構成(１ファイバ＝ＳＴＳ−１×４８ｃｈ
）を基準として構成されている。システムブロック４−１等は、このＯＣ−Ｎを単位として、伝送路障害時の現用系／予備系の切り替え制御を行う。
【０１１３】
図１０のターミナル（１＋１）系における伝送路の割り当ては、1番目を現用系（チャ
ンネル１〜２４）、２番目を現用系（チャンネル２５〜４８）、３番目を予備系（チャンネル１〜２４）、４番目を予備系（チャンネル２５〜４８）としている。
【０１１４】
図１０において、受信側ブロック４−１の現用系チャンネル１〜２４および２５〜４８が１つの光ファイバに対応する。また、予備系チャンネル１〜２４および２５〜４８が１つの光ファイバに対応する。
【０１１５】
さらに、実際の１＋１系における通信では、送信側ブロックの１４−１の現用系および予備系に各々１ファイバが使用される。その結果、１＋１系の通信では、ノード間で４ファイバが使用されることになる。
【０１１６】
なお、ＵＰＳＲ構成の場合には、例えば、イースト側チャンネル（現用系１〜４８）が右回り方向に１系統、左回り方向に１系統接続される。また、ウェスト側チャンネル（予備系１〜４８）が右回り方向に１系統、左回り方向に１系統接続される。このような構成により、ＵＰＳＲ全体では、右回り方向に１系統、左回り方向に１系統の光ファイバが敷設される。
【０１１７】
また、アラームインジケータシグナル（以下、ＡＩＳ）発生器２３、２４は、現用系チャンネル断線時に、その旨のアラームを予備系を使用する装置に通知する。これにより、予備系未使用時に、予備系を使用している装置に、もはや予備系が未使用状態ではなく、使用できないことを通知する。すなわち、１＋１構成のネットワークにおいては、ＡＩＳ発生器２３、２４からアラームが出力されない限り、予備系のチャネルを使用できる。
【０１１８】
図１０に示すように、受信側のシステムブロック４−１において、予備系チャンネル（Ｐｒｏｔｅｃｔ）１から２４および現用系チャンネル１から２４がラインスイッチ２２Ａに接続される。上述のように、１＋１ＬｉｎｅＡＰＳ処理では、現用系チャンネルと予備系チャンネルの双方に同一の信号が送信されている。そして、その伝送路品質が比較され、伝送路品質のよいチャンネルがＯＣ−Ｎ単位でラインスイッチ２２Ａにより選択され、出力される。ラインスイッチ２２Ｂは、チャンネル２５から４８に対して、同様の処理を実行する。
【０１１９】
また、送信側のシステムブロック１４−１では、現用系チャンネル１から２４が予備系チャンネル１から２４に、ラインブリッジ２５により分岐されている。また、現用系チャンネル２５から４８が予備系チャンネル２５から４８に、ラインブリッジ２６により分岐されている。このようにして、送信側のシステムブロック１４−１等は、現用系チャンネルと予備系チャンネルとにおいて冗長構成の信号を生成する。
【０１２０】
以上の構成により、ユーザがクロスコネクト処理回路２の設定を行う場合、ＬｉｎｅＡＰＳ処理を実行するシステムブロック４−１から４−ｍおよび１４−１から１４−ｍへの接続関やその処理の有無に関わりなく、クロスコネクト処理回路２の各入力端子（例えば、端子番号１からｎとする）への信号は、現用系の入力側（図７、９の左側）のスロット３−１から３−ｎ（例えば、スロット番号１からｎとする）に対応する。
【０１２１】
また、クロスコネクト処理回路２の各出力端子（例えば、端子番号１からｎとする）への信号は、現用系の出力側（図７、９の右側）のスロット３−１から３−ｎ（例えば、スロット番号１からｎとする）に対応する。したがって、ユーザは、スロットを識別するス
ロット番号に基づいてクロスコネクト処理回路２を設定できる。
【０１２２】
なお、上記実施形態では、ターミナル（１＋１）構成のネットワークに対して本端局中継装置１を適用する例を示した。しかし、端局中継装置１を３以上組み合わせたリニア構成においても、現用系／予備系双方に信号を分岐し、受信側で選択処理を実行する限り、その手順は上記と同様である。
【０１２３】
すなわち、端局中継装置１を３以上線状に配置したリニア構成、イースト方向／ウェスト方向のリングの双方に信号を出力するＵＰＳＲ構成においても、同様に、端局中継装置１を適用することができる。
＜ＢＬＳＲアプリケーション例＞
ＢＬＳＲのアプリケーションにおいても上記のようなスロットとシステムブロックとの接続、およびシステムブロックを意識させないクロスコネクト処理回路２の設定が実現可能である。
【０１２４】
図１１に、４ファイバＢＬＳＲのシステムブロック５Ａ−１および１５Ａ−１内におけるＢＬＳＲ処理時の構成を示す。図１１においては、現用系１〜２４チャンネル、現用系２５〜４８チャンネル、予備系１〜２４チャンネル、および予備系２５〜４８チャンネルが各々異なる光ファイバに対応する。
そして、システムブロック５Ａ−１および１５Ａ−１等は、伝送路障害時の現用系／予備系の切り替え制御を行う。
【０１２５】
図１１に示すように、ＢＬＳＲの４系統の伝送路の割り当てが１番目をイースト現用系（Ｅａｓｔ−Ｗｏｒｋ）、２番目をイースト予備系（Ｅａｓｔ−Ｐｒｏｔｅｃｔ）、３番目をウェスト現用系（Ｗｅｓｔ−Ｗｏｒｋ）、４番目をウェスト予備系（Ｗｅｓｔ−Ｐｒｏｔｅｃｔ）としている。
【０１２６】
図１１に示すように、受信側のシステムブロック５Ａ−１は、イースト現用系とイースト予備系との間でスパンスイッチ（Span Switch）２７を有し、イースト現用系とウェス
ト予備系との間でリングスイッチ（Ring Switch）２８を有する。
【０１２７】
スパンスイッチ２７は、イースト現用系とイースト予備系との間で取り出すべきチャンネルをＯＣ−Ｎの単位で切り替える。
【０１２８】
リングスイッチ２８は、イースト現用系とウェスト予備系との間で取り出すべきチャンネルをＯＣ−Ｎの単位で切り替える。このリングスイッチ２８により、本来イースト側で送信すべきデータをウェスト側から取り込む（ドロップする）処理が実行される。
【０１２９】
送信側のシステム１５Ａ−１は、イースト現用系とイースト予備系との間でスパンブリッジ（Span Bridge）２９を有し、イースト現用系とウェスト予備系との間でリングブリ
ッジ（Ring Bridge）３０を有する。
【０１３０】
イースト現用系のチャンネルに障害が発生した場合、スパンブリッジ２９は、イースト現用系の信号をＯＣ−Ｎの単位でイースト予備系に分岐する。
【０１３１】
イースト現用系および予備系の双方に障害が発生した場合、リングブリッジ３０は、イースト現用系の信号をＯＣ−Ｎの単位でウェスト予備系に切り替える。このリングブリッジ３０により、本来イースト方向に送信すべきデータがウェスト方向の伝送路に折り返して送信される。
【０１３２】
＜Ｌｉｎｅ  ＡＰＳとＵＰＳＲの共存する装置への適用＞
図７に示したように、クロスコネクト処理回路２手前の２：１セレクタ１０と出力側スロット３−１から３−ｎへ出力する手前の２：１セレクタ２０とを切り替えることにより、ターミナル（１＋１）構成とＢＬＳＲ構成の共存が可能である。
【０１３３】
すなわち、２：１セレクタ１０、２０の組み合わせにより、Ｌｉｎｅａｒ  ＡＤＭ構成（あるいはターミナル構成）の伝送路とＢＬＳＲ構成の伝送路をＯＣ−Ｎ（例えば、ＯＣ−４８）単位で切り替えることができる。したがって、本実施形態の端局中継装置１によれば、一つの装置内で複数のアプリケーションの構築が可能である。
【０１３４】
＜ＯＣ−Ｎへの一般化＞
上述のように、例えば、ＯＣ−４８  ２ファイバを基準として１システムブロックを構成することによりＯＣ−４８  ４ファイバ  ＢＬＳＲの時は２つのシステムブロックを、ＯＣ−１９２  ２ファイバの場合は４つのシステムブロックを、ＯＣ−１９２  ４ファイバ  ＢＬＳＲの場合は８つのＳｙｓブロックを組み合わせることで実現可能である。
【０１３５】
なお、２ファイバＢＬＳＲの場合は１ファイバ内に現用系と予備系の帯域が割り当てられている。この場合、冗長構成は、イーストとウェストのファイバによって実現される。そのため、イーストの現用系および予備系を冗長化するためのスパンスイッチ２７、スパンブリッジ２９は不要である（ウェストについても同様）。
【０１３６】
＜その他の変形例＞
上記実施形態では、ＳＯＮＥＴ／ＳＤＨにおいて本発明を実施する例を示した。しかし、本発明の実施は、ＳＯＮＥＴ／ＳＤＨには限定されない。すなわち、現用系と予備系の切替機能、およびクロスコネクト処理機能を有する中継装置一般において本発明は実施可能である。
《第２実施形態》
以下、本発明の第２実施形態に係るネットワークの端局中継装置を図１２から図１７の図面に基づいて説明する。上記第１実施形態では、１＋１ＬｉｎｅＡＰＳ処理およびＢＬＳＲ処理を実行するネットワークにおける端局中継装置１の構成を説明した。
【０１３７】
本実施形態では、この端局中継装置１を用いて、ネットワークをサービス状態でアップグレードする（以下、インサービスアップグレードという）手順を説明をする。端局中継装置１の構成および機能は、第１実施形態と同様である。そこで、同一の構成要素については、同一の符号を付してその説明を省略する。
【０１３８】
インサービスアップグレードには、２通りのタイプがある。第１のタイプは、現在構築されているアプリケーションにおいて物理的な伝送容量を増加する(例えば、ＯＣ−１２
をＯＣ−４８に変更する）場合である。また、第２のタイプは、伝送容量はそのままでシステムのアプリケーションを変更する（例えば、ＵＰＳＲをＢＬＳＲに変更する）場合である。
＜ＵＰＳＲからＢＬＳＲへのアップグレード例＞
図１２から図１４に、本中継装置１により、アプリケーションをＵＰＳＲからＢＬＳＲへアップグレードする手順を示す。
【０１３９】
図１２は、スロット３−２とスロット３−３に高次群側とのインタフェーイスをとるインターフェースカードが挿入されている。また、スロット３−５に低次群側とのインターフェースをとるインターフェースカードが挿入されている。
【０１４０】
そして、システムブロック４−１、４−３等には第１実施形態と同様のラインスイッチ
が設けられ、現用系／予備系の選択または低次群からの挿入が実現される。また、システムブロック１４−１、１４−３等には、第１実施形態と同様のラインブリッジが設けられ、現用系／予備系双方への信号の出力または低次群へのドロップが実現される。このような構成により、端局中継装置１は、ＵＰＳＲリングのノードを構成する。例えば、スロット３−２のインターフェースカードをイースト側、また、スロット３−３をインターフェースカードをウェスト側に接続すればよい。
【０１４１】
なお、図１２から１４において、システムブロック５−１、５−３等は、図１１に示した受信側のシステムブロック５−１と同様の構成である。また、システムブロック１５−１、１５−３等は、図１１に示した送信側のシステムブロック１５−１と同様の構成である。システムブロック５−１、１５−１等は、図１１の場合と同様、スパンスイッチ、リングスイッチ、スパンブリッジ、リングブリッジにより、ＢＬＳＲのアプリケーションを提供する（ただし、２Ｆ−ＢＬＳＲの場合、スパンスイッチおよびスパンブリッジは使用されない）。
【０１４２】
以下、このＵＰＳＲを図１３および図１４に示す手順にしたがい、ＢＬＳＲに、サービスを停止することなくアップグレードする。
【０１４３】
まず、図１３においては、スロット３−２、３−３および３−５からの伝送データを分岐させ、アプリケーションセレクタ６−２および７−２を介しＢＬＳＲ側のシステムブロック５−１と５−３に接続する。
【０１４４】
また、クロスコネクト後の伝送データも同様に、アプリケーションセレクタ１７−２および１６−２を介しシステムブロック１５−１と１５−３に接続する。
【０１４５】
そして、クロスコネクト処理回路２手前（図１２から１４において紙面に向かって左側）の２：１セレクタ１０までＢＬＳＲ側のデータを通す。さらに、スロット３−２等のインターフェースカードへ出力する手前の２：１セレクタ２０の手前までそれぞれＢＬＳＲ側のデータを通し、ＢＬＳＲのシステムを構築しておく。
【０１４６】
次に、図１４においてはクロスコネクト処理回路２手前の２：１セレクタ１０とインターフェースカードへ出力する手前の２：１セレクタ２０の設定をＢＬＳＲ側選択に切り替える。２：１セレクタ１０および２０には、ＵＰＳＲとＢＬＳＲの両方の信号が通されているため、上記切替処理は容易に実行できる。
【０１４７】
これにより、ＵＰＳＲからＢＬＳＲへのアップグレードがサービスを停止することなく完了する。
＜Ｌｉｎｅａｒ  ＡＤＭ（１＋１）構成からＢＬＳＲへのアップグレード例＞
以下、ＯＣ−Ｎ（例えば、ＯＣ−４８）Ｌｉｎｅａｒ  ＡＤＭ（１＋１）構成からＯＣ−Ｎ  ４ファイバＢＬＳＲへのインサービスアップグレードを例に説明する。ここで、１＋１とは、ファイバが現用系および予備系おのおの同数使用することをいう。
【０１４８】
図１５に、Ｌｉｎｅａｒ  ＡＤＭ構成から４ファイバＢＬＳＲにアップグレードする手順を示す。図１５の上段は、アップグレード前のＬｉｎｅａｒ  ＡＤＭ（１＋１）構成のネットワークを示している。
【０１４９】
このネットワークは、ノードＡ、Ｂ、Ｃを構成する端局中継装置１Ａ、１Ｂ、１Ｃを現用系（Ｗｏｒｋ）と予備系（Ｐｒｃｔ）の伝送路で接続して構成される。端局中継装置１Ａ、１Ｂ、１Ｃは、上記第１実施形態で説明したものと同様の構成である。
【０１５０】
図１５に示すようにＬｉｎｅａｒ  ＡＤＭ構成から４ファイバＢＬＳＲにアップグレードする場合、ノードＡとノードＣに網掛けのインターフェースカード（図１５に「追加」の文字で示す）を追加し、ノードＡとノードＣとの間にファイバＦ１０を接続し、各ノードをＢＬＳＲモードに設定すればアップグレード完了となる。ただし、４ファイバＢＬＳＲにアップグレードする場合は、システムブロックに接続するアプリケーションセレクタの切り替えが必要となる。
【０１５１】
この切替を図１６Ａ、１６Ｂおよび図１７Ａ、１７Ｂに示す。図１６Ａ、１６Ｂは、アップグレード前のノードＢのアプリケーションの設定内容を示す図である。また、図１７Ａ、１７Ｂは、４ファイバＢＬＳＲ時のアプリケーション設定を示す図である。
【０１５２】
これらの図において、ＰＴＣＴは、予備系（Ｐｒｏｔｅｃｔ）を示す。また、ＷＯＲＫは、現用系を示している。さらに、これらの図において、（Ａ−１）、（Ａ−２）、（Ａ−３）、および（Ａ−４）の符号で示される箇所が接続箇所を示している。
【０１５３】
図１６Ａ、１６Ｂに示すように、本実施形態の端局中継装置１Ｂ等は、システムブロック４−１、４−２、４−３等の前後にアプリケーションセレクタ６−１および７−１を有している。このアプリケーションセレクタ６−１および７−１により、入力側（ＩＮ矢印で示す）において、スロット３−１、３−２等に入力される現用系の信号が、そのままの対応関係でクロスコネクト処理回路２の入力側端子に接続される。この作用は、第１実施形態で述べたものと同様である。また、クロスコネクト処理回路２の出力側端子と、出力側（ＯＵＴ矢印で示す）において、スロット３−１、３−２等から出力される現用系の信号との関係も同様に、アプリケーションセレクタ１７−１および１６−１により維持される。
【０１５４】
また、一般には、４ファイバＢＬＳＲ設定時のシステムブロック５−１、５−２、５−３等の出力側端子の信号の配列は、１＋１ＬｉｎｅａＡＤＭ設定時のシステムブロック４−１、４−２、４−３とは、一致しない。しかし、アプリケーションセレクタ６−２および７−２の作用により、システムブロック５−１、５−２、５−３の出力側端子の信号の配列は、入力側（ＩＮ矢印で示す）スロットでの信号の配列に戻される。この作用は、第１実施形態に述べたものと同様である。
【０１５５】
したがって、１＋１ＬｉｎｅａＡＤＭの有無、ＢＬＳＲ処理の有無に拘わらず、アプリケーションセレクタ７−１および７−２の出力側端子の信号は、入力側スロット３−１、３−２等に対応したものとなる。
【０１５６】
この対応関係は、クロスコネクト処理回路２の出力側端子と出力側（ＯＵＴ矢印で示す）のスロット３−１、３−２との間でも同様に維持される。
【０１５７】
以上のことより、Ｌｉｎｅａｒ  ＡＤＭ／ＵＰＳＲ系とＢＬＳＲ系を並列構成にすることにより、新アプリケーションのための各設定を行なっている際でも現状のアプリケーションはサービス中の状態を維持している。そして、新アプリケーションの準備ができた時点で２：１セレクタ１０および２０を切り替えることにより、瞬時に新アプリケーションへのアップグレードが実現できる。そして、アップグレード中の伝送品質の劣化は、最小限に抑えこむことが可能となっている。
【０１５８】
もし、クロスコネクト前後のアプリケーションセレクタ６−１、６−２、７−１、７−２、１６−１、１６−２、１７−１、１７−２等を具備していなければ、クロスコネクト処理回路２をシステムブロック基準で設定することとなる。システムブロック基準とは、システムブロックの出力信号の配列を識別する必要があることをいう。
【０１５９】
そのため１＋１ＬｉｎｅａｒＡＤＭから４ファイバＢＬＳＲへアップグレードする際、クロスコネクトの張り替えが必要となる。この場合、主信号の断が発生してしまう。
【０１６０】
これを回避する手段として、本端局中継装置１Ａ等は、クロスコネクト前後にアプリケーションセレクタ６−１、６−２、７−１、７−２、１６−１、１６−２、１７−１、１７−２を具備する。これにより、スロット基準でのクロスコネクト設定が可能となる。したがって、図１６Ａ、１６Ｂと図１７Ａ、１７Ｂに示すようにクロスコネクト処理回路２の設定は、Ｌｉｎｅａｒ  ＡＤＭから４ファイバへアップグレードする際に張り替える必要がなく、主信号の断を回避できる。
【０１６１】
＜変形例＞
上記実施形態では、ＳＯＮＥＴ／ＳＤＨにおいて本発明を実施する例を示した。しかし、本発明の実施は、ＳＯＮＥＴ／ＳＤＨには限定されない。すなわち、現用系と予備系の切替機能、およびクロスコネクト処理機能を有する中継装置一般において本発明は実施可能である。
《第３実施形態》
以下、本発明の第３実施形態に係るネットワークの端局中継装置を図１８から図２３の図面に基づいて説明する。上記第１実施形態では、柔軟に１＋１ＬｉｎｅＡＰＳ、ＵＰＳＲおよびＢＬＳＲを設定できる端局中継装置１の構成を説明した。また、第２実施形態では、この端局中継装置１により、サービスを停止せずにネットワークをアップグレードする手順を説明した。
【０１６２】
本実施形態では、ＢＬＳＲにおいて、現用系チャンネルと予備系のチャンネルとの対応を柔軟にとることができる端局中継装置について説明する。
【０１６３】
従来のＢＬＳＲネットワークにおいては、始点ノードより送られたデータは中間ノードを経て、終点ノードに届けられる。そして、障害にて救済動作が生じた場合には、通常運用パスとは異なるパスにてデータが終点ノードに届けられる。
【０１６４】
この場合、一般的には、始点ノードでのタイムスロットと終点ノードで現用系と予備系のタイムスロットは、所定の関係で固定された関係とする。現用系と予備系のタイムスロットの関係を固定することで、どのタイムスロット、すなわち、どの現用系チャンネルについても、パス変更後の接続を保証することが可能である。ただし、このようなネットワークでは、通常運用状態に置いては中間スルーノードにおける使用タイムスロットの入れ替え（クロスコネクト）が許容されない。
【０１６５】
本実施形態の端局中継装置は、この中間スルーノードでタイムスロットの入れ替えを許容した上で、さらに、障害発生時の救済動作をも実現する。
【０１６６】
一般に、伝送されるデータには、始点ノードにて、ノード固有番号およびチャンネル番号を指定するパスＩＤが定義される。パスＩＤは、例えば、ＳＯＮＥＴ／ＳＤＨにおいて規定されており、主として、通信するノード間を識別するため、上位レイヤのソフトウェアが使用する情報である。本実施形態では、このパスＩＤをタイムスロットの認識に流用する。
【０１６７】
パスＩＤは、オーバヘッドバイトを用いて転送される。中間ノードではタイムスロットのクロスコネクトがされている場合にも、パスＩＤはチャンネルの伝送データとともに伝送される。そのため、終点ノードにてこのパスＩＤの監視を行なえば、タイムスロットが変更された場合でも、変更前のパスを認識し、接続を確認することができる。
【０１６８】
本実施形態では、パスＩＤは、ＢＬＳＲの救済方法にて救済された受信チャンネルが異なるチャンネルで受信されているかどうかの判定に使用される。すなわち、パスＩＤにより、終端ノードにて通常運用時に受信されていたデータが救済後、どのチャンネルで受信されているかが判定される。
【０１６９】
すなわち、本実施形態では、タイムスロットが変更されている場合に、通常運用時のデータがどのタイムスロットで受信されているかがパスＩＤにより確認される。誤接続防止の観点より、ＢＬＳＲ内で固有のパスＩＤが定義されなければならない。
【０１７０】
本実施形態のＢＬＳＲのライン救済でも、従来同様、ＢＬＳＲリングスイッチ手順が実行される。すなわち、本実施形態の端局中継装置は、障害発生時にはループバックを行ない、伝送路を逆方向の予備系ラインに切り替える。現用回線設定時に中間ノードでクロスコネクト設定されていた場合には、ノード間の通信が可能にも拘わらず、受信タイムスロットが異なるため、救済が不可能になる場合がある。
【０１７１】
図１８に本実施形態に係る端局中継装置１０１、１０２、１０３および１０４を含むＢＬＳＲを示す。図１８において、端局中継装置１０１は、チャンネル１によりデータを端局中継装置１０３に送信している。このチャンネル１は、端局中継装置１０２においてチャンネル３に変更されている。したがって、受信ノードである端局中継装置１０３は、チャンネル３を低次側にドロップしている。
【０１７２】
図１９に、単一障害が発生した状態を示す。ここでは、障害箇所を×のマークで示している。図１９に示すように、単一障害時には、障害前後の取り扱いタイムスロットが同じである（障害箇所の前後でチャンネルは３である）。そのため、救済のためのループバックを行なった場合でも、救済前のタイムスロットは、接続先の同じタイムスロットに接続され、救済は従来の手法にて可能である。
【０１７３】
すなわち、障害箇所の手前の端局中継装置１０２は、前方（ウェスト方向）への送信が不可能と判定し、イースト方向に折り返して送信する。ループバックされたチャンネルは、端局中継装置１０１および１０４をスルーし、端局中継装置１０３に到達する。端局中継装置１０３は、障害発生前と同一のチャンネルをウェスト側からドロップすればよい。
【０１７４】
なお、使用する予備系チャンネルは、例えば、ＳＯＮＥＴ／ＳＤＨに規定されている救済手順により決定される。本実施形態では、図１９において、この予備系チャネルが、「ＣＨ３＋ＷＫｃｈ」と示されている。
【０１７５】
図２０に、多重障害の例を示す。ここでも障害箇所を×マークで示す。図２０に示すように、多重障害時（複数パスでのファイバー障害、ノード障害）には、障害にて孤立してしまう中間ノードが発生する。図２０の例では、端局中継装置１０２のノードが孤立している。また、この端局中継装置１０２では、チャンネル、すなわち、タイムスロットの入れ替えが行われていた。
【０１７６】
このように、孤立したノードでデータが他のタイムスロットにクロスコネクトされている場合には、障害近接ノードにおいてそのクロスコネクトの設定を認識できない。したがって、従来からの通常の救済措置であるループバックを実行してしまうと、ループバックされるデータは通常運用時のように救済することは不可能である。
【０１７７】
これは孤立したノードにて実行されるスルーデータのクロスコネクトを自動的に認識することができず、異なったタイムスロット同士が接続されてしまうからである。
【０１７８】
この誤接続を防ぐために、データ受信ノード（図２０の端局中継装置１０３）がループバックデータを受信時にパスＩＤの検出を行えばよい。本実施形態のデータ受信ノードは、通常運用時に受信されていたパスＩＤとループバック制御時に受信したパスＩＤとを比較し、救済を実行する。
【０１７９】
図２１に、救済処理の概要を示す。この端局中継装置１０３は、障害前と障害後の同一のタイムスロットにて同一パスＩＤを受信している場合にはタイムスロットの入れ替えは行わない。一方、障害前パスＩＤと障害後のパスＩＤとの比較結果が異なる場合には、図２１に示すように、端局中継装置１０３は、ループバックセレクタ１１０実行前に、タイムスロットを入れ替える。これにより、障害前パスＩＤを有するタイムスロットからの受信が可能になる。
【０１８０】
回線誤接続防止に関しては従来スケルチテーブルを用いたスケルチ制御が行われる。しかし、多重障害時には、クロスコネクトを行った通信可能なデータの救済にはスケルチ制御が利用できない。そのような、従来からのスケルチ制御を用いても救済されないパスに対しても、受信側にてパスＩＤを検出してクロスコネクトを行えば、救済が可能である。
【０１８１】
図２２に、上記パスＩＤ検出処理を実行する回路の内部機能ブロックを示す。この回路は、例えば、図１１に示した受信側のシステムブロック５Ａ−１内に実装される。
【０１８２】
図２２に示すように、このシステムブロックは、例えば、ＯＣ−４８  ２Ｆ−ＢＬＳＲを想定すると、現用系チャンネルの１から２４、予備系チャンネルの２５か４８、および、多重障害情報チャンネル１２０に接続される。また、図２２のおいて、実線の矢印は、データ信号（各チャンネルを伝送される信号）を示し、点線の矢印は、制御信号を示す。
【０１８３】
このシステムブロックには、通常時パスＩＤ検出部１２１、障害時パスＩＤ検出部１２２、パスＩＤ比較部１２３、タイムスロット比較部１２４、タイムスロット入替部１２５、ＢＬＳＲスイッチ１２６およびスケルチ管理部１２７を有する。
【０１８４】
通常時パスＩＤ検出部１２１は、通常時に現用系タイムスロット（ｃｈ１−２４）から入力されるデータ内のパスＩＤの検出を行ない、ＩＤを保持する。そして、通常時パスＩＤ検出部１２１は、障害発生時（多重障害情報入力時）には保持されたパスＩＤが変更されないように保持動作を行う。
【０１８５】
障害時パスＩＤ検出部１２２は、多重障害発生情報により、予備系タイムスロット（ｃｈ２５−４８）から入力されるデータ内のパスＩＤの検出を行い、そのパスＩＤを保持する。ただし、障害発生時（多重障害情報身入力時）以外のときには、障害時パスＩＤ検出部１２２は、パスＩＤ未検出コードを保持する。
【０１８６】
必要となるパスＩＤは、通常運用状態では現用系側のチャンネル１〜２４のパスＩＤである。また、多重障害発生時には、予備系のチャンネル２５〜４８のパスＩＤを監視する必要がある。
【０１８７】
通常時／障害発生時の状態の認識はＢＬＳＲの救済で用いられるリング  スイッチ情報を用いることで認識可能である。本回路は、このリングスイッチ情報を多重障害情報として使用する。リングスイッチ情報とは、例えば、第１実施形態で図１１に示した受信側のチャンネルを現用系と予備系とで切り替えるリングスイッチ２８の切替状態を示す情報である。
【０１８８】
このリングスイッチ情報にて救済の実行が通知されると、通常時パスＩＤ検出部１２１に格納される現用系チャンネル１〜２４のパスＩＤ情報は変更不可とされる。一方、また、予備系チャンネル２５〜４８にて受信されるパスＩＤは、障害時パスＩＤ検出部１２２にて検出される。そして、通常時パスＩＤ検出部１２１のパスＩＤが、予備系チャンネル２５〜４８にて受信されるパスＩＤと比較される。
【０１８９】
なお、従来のようなスルーノードにてタイムスロットの入替えを行っていないＢＬＳＲでの救済の場合、現用系チャンネル１と予備系チャンネル２５には同一のデータが受信されることになる。そのような硬直したチャンネル構成の場合には、本実施形態のようなパスＩＤの検出は必要ではない。
【０１９０】
パスＩＤ比較部１２３は、多重障害発生時に通常時パスＩＤ検出部１２１にて保持されたＩＤと障害時パスＩＤ検出部１２２にて保持されたパスＩＤとを比較する。ここでは、通常時パスＩＤ検出部１２１の各タイムスロット位置に保持されたパスＩＤと一致するパスＩＤを、障害時に検出されたパスＩＤから検出する。
【０１９１】
パスＩＤ比較部１２３は、その比較結果をタイムスロット制御部１２４に入力する。タイムスロット制御部１２４は、その比較結果にしたがい、タイムスロット入替部１２５を制御する。
【０１９２】
タイムスロット入替部１２５は、多重障害情報１２０が入力されたとき、イネーブルとなり、タイムスロット制御部１２４からの指示にしたがい、予備系チャンネル２５〜４８を入れ替える。この入れ替えられたチャンネルがＢＬＳＲスイッチ１２６に入力される。ここで、ＢＬＳＲスイッチ１２６は、例えば、図１１でいうリングスイッチ２８である。
【０１９３】
図２３に、パスＩＤ比較部１２３とタイムスロット制御部１２４の回路構成を示す。パスＩＤ比較部１２３は、通常時パスＩＤ検出部１２１で検出された、例えば、チャンネル１のタイムスロットを識別するパスＩＤを障害時パスＩＤ検出部１２２に保持されたパスＩＤと比較する（図中Ｅ−ＮＯＲ回路１３０）。図２３の場合、パスＩＤが一致したＥ−ＮＯＲ回路１３０の出力が真となる。
【０１９４】
比較した結果、一致するパスＩＤが見つからなかった場合には、未検出を認識する。タイムスロット制御部１２４は、上記Ｅ−ＮＯＲ回路１３０の真出力により、通常時パスＩＤ検出部１２１に格納されたタイムスロットと、障害時パスＩＤ検出部１２２で検出されたタイムスロットとの関連付けを行う。
【０１９５】
すなわち、パスＩＤが一致したＥ−ＮＯＲ回路１３０の出力により、障害時のチャンネルがＡＮＤ回路１３１を通じて選択される。また、一致するパスＩＤが存在しない場合にはＡＮＤ回路１３２を通じて、ＡＩＳ出力フラグが設定される。
【０１９６】
図２２のタイムスロット入替部１２５は、上記選択にしたがい、タイムスロットを入れ替える。また、ＡＩＳ出力フラッグが設定されていると、タイムスロット入替部１２５は、ＡＩＳ信号を出力する。
【０１９７】
以上述べたように、本実施形態の端局中継装置１０１等によれば、スルーノードにおいてタイムスロットの入れ替えを許容した上で、多重障害発生時の救済を実現する。したがって、スルーノードでのタイムスロットの設定が柔軟になるとともに、ＢＬＳＲによるシステムの信頼性が維持される。
《第４実施形態》
以下、本発明の第２実施形態に係るネットワークの端局中継装置を図２４から図２６の
図面に基づいて説明する。上記第１実施形態では、１＋１ＬｉｎｅＡＰＳ処理およびＢＬＳＲ処理を実行するネットワークにおける端局中継装置１の構成を説明した。その場合、第１実施形態のアプリケーションセレクタ６−１等、システムブロック４−１等、および２：１セレクタ１０等は、直接伝送路の主信号を切り替えた。
【０１９８】
このように、従来の端局中継装置としては、クロスコネクト処理回路の前後にＬｉｎｅ
ＡＰＳ、ＢＬＳＲ等のアプリケーションを実行する回路を設け、直接主信号を操作する構成が一般的であった。
【０１９９】
本実施形態では、主信号とは独立して制御信号の識別情報（以下、パスコードと呼ぶ）を処理する制御回路を設ける。この制御回路は、パスコードに対して、クロスコネクト処理とともにＬｉｎｅ  ＡＰＳ、ＢＬＳＲ等の処理を実行する。そして、この制御回路へ入力されるパスコードと、制御回路から出力されるパスコードとの対応関係を求める。
【０２００】
このパスコードの対応関係は、端局中継装置への入力チャンネルが、どの出力チャンネルに接続されるべきかを示す。この制御回路は、この対応関係にしたがい、クロスコネクト処理回路の主信号を設定する。
＜従来例＞
図２４に、従来の端局中継装置におけるクロスコネクト処理および現用系／予備系切替処理のための回路例を示す。この回路は、主信号系回路と、制御系回路とを有している。
【０２０１】
図２４のように、主信号系回路は、スイッチ部４０、クロスコネクト処理回路４２、サービスセレクタ４５、パススイッチ４６およびブリッジ部４１を有している。また、制御系回路は、クロスコネクト制御コード設定部４３、４４、アラーム検出部４７、およびパススイッチ・サービスセレクタ処理部４８を有している。
【０２０２】
スイッチ部４０は、Ｌｉｎｅ  ＡＰＳ処理を実行する。すなわち、スイッチ部４０は、受信信号の現用系と予備系との間で、回線品質のよい方をライン単位（ＯＣ−Ｎ単位で）選択して切り替える。また、スイッチ部４０は、ＢＬＳＲ処理時には、図１１に示した受信側のシステムブロック５−１と同様の機能を提供する。
【０２０３】
サービスセレクタ４５とブリッジ部４１は、リングネットワークにおいてＢＬＳＲ処理を実行する。例えば、イースト側現用系の送信側チャンネル（Ｅ−ＷＫ）に障害が発生した場合、ブリッジ４１は、イースト側現用系の送信側チャンネル（Ｅ−ＷＫ）への信号をウェスト側予備系（Ｗ−ＰＴ）の送信チャンネルから送信する。この処理は、第１実施形態の図１１に示したシステムブロック１５−１の処理と同様である。
【０２０４】
ここで、サービスセレクタ４５は、入力側の信号のうち、スルー信号（ＢＬＳＲを構成する高次群、すなわちイースト側またはウェスト側の信号）と挿入（アッド）信号、すなわち、第２のＢＬＳＲから端局中継装置に入力される信号を切り替える。第２のＢＬＳＲとは、複数のＢＬＳＲを含むネットワークにおいて着目しているＢＬＳＲに接続されている他のＢＬＳＲをいう。
【０２０５】
図２４の入力信号（ＩＮ矢印で示す）には、イースト現用系（Ｅ−ＷＫ）、イースト予備系（Ｅ−ＰＴ）、ウェスト現用系（Ｗ−ＷＫ）、ウェスト予備系（Ｗ−ＰＴ）、挿入（ＡＤＤ）の各信号が示されている。また、出力信号には、さらにドロップ（ＤＲＯＰ）が示されている。一般的には、挿入信号は、低次群から高次群のネットワークに加入する信号であり、ドロップは、高次群のネットワークから低次群へ出力される信号である。
【０２０６】
また、挿入信号とドロップ信号は、２つのＢＬＳＲを接続するために組み合わせられる
。すなわち、２つのＢＬＳＲにより、パスを構成する場合、第１のＢＬＳＲでドロップされた信号が第２のＢＬＳＲに挿入される。この場合、第２のＢＬＳＲで挿入信号を受け入れる端局中継装置は、救済されるチャンネルをスルー信号（Ｅ−ＷＫ、Ｅ−ＰＴ、Ｗ−ＷＫ、Ｗ−ＰＴのいずれか）から挿入信号（ＡＤＤ）に切り替える。上記のように、サービスセレクタ４５は、このスルー信号と挿入信号との間の切替処理を実行する。
【０２０７】
また、ブリッジ部４１は、図１１の送信側のシステムブロック１５−１と同様の機能を提供する。
【０２０８】
パススイッチ４６は、チャンネル単位で、現用系と予備系とで回線品質のよい方（例えば、アラームの発生していない方）を選択し、ドロップする（低次群へのインターフェースに出力する）。
【０２０９】
クロスコネクト制御コード設定部４３、４４は、ユーザ設定にしたがい、クロスコネクト処理回路４２を制御する。すなわち、クロスコネクト制御コード設定部４３、４４は、クロスコネクト処理回路４２の入力側端子と出力側端子とを接続する指示信号をクロスコネクト処理回路４２に入力する。
【０２１０】
なお、クロスコネクト制御コード設定部４３は、クロスコネクト後の出力チャンネルに対し、イースト側からの信号／挿入信号のいずれかを選択して割り当てる。この割当にしたがい、クロスコネクト処理回路４２は入力側信号と出力側信号とをクロスコネクトする。
【０２１１】
また、クロスコネクト制御コード設定部４４は、ウェスト側からの信号／スルー信号に対し、同様の設定を実行する。このように、図２４の回路は、イースト側からの信号／挿入信号と、ウェスト側からの信号／スルー信号とを独立して、クロスコネクト処理後のチャンネルに割り当てる。
【０２１２】
アラーム検出部４７は、主信号からアラームを検出する。パススイッチ・サービスセレクタ処理部４８は、アラーム検出部４７の検出したアラームにしたがい、サービスセレクタ４５またはパススイッチ４６を制御する。
＜実施例４−１＞
図２５に、本発明の実施例４−１に係る端局中継装置の構成を示す。図２５のように、この端局中継装置は、図２４の場合と比較して、クロスコネクト処理回路４２以外の構成要素を制御系回路に含む構成を採る。
【０２１３】
すなわち、この制御系回路は、主信号上のアラームを検出するアラーム検出部１４７と、各信号チャンネルを識別するためのパスコードを発生するパスコード発生部１５０と、パスコードを伝送する伝送路の内の高次群（例えば、ＢＬＳＲの場合のイースト現用系、イースト予備系、ウェスト現用系、ウェスト予備系）に対応する伝送路に対してクロスコネクト処理前に現用系／予備系の切替を実行するスイッチ部１４０と、パスコードを伝送する伝送路に対してクロスコネクト処理を実行するクロスコネクト処理回路１４２Ａ、１４２Ｂと、ユーザ設定にしたがいクロスコネクト処理回路１４２Ａを制御するクロスコネクト制御コード設定部１４３と、ユーザ設定にしたがいクロスコネクト処理回路１４２Ｂを制御するクロスコネクト制御コード設定部１４４と、クロスコネクト処理後のパスコードを伝送する伝送路のうち、スルー信号に対応するパスコードと挿入信号に対応するパスコードとを切り替えるサービスセレクタ１４５と、クロスコネクト処理後の現用系のパスコードの伝送路と予備系のパスコードの伝送路とで回線品質のよい方（アラームの発生していない方）を選択し、ドロップするパススイッチ１４６と、パススイッチ・サービスセレクタ処理部１４８を有している。
【０２１４】
このうち、パスコード発生部１５０は、主信号の入力チャンネルに対応するパスコードを生成する。パスコードとは、主信号の入力チャンネルを個々に識別するコードである。例えば、ＯＣ−４８レベルの端局中継装置においては、４８チャンネルを識別するパスコードが使用される。また、ＯＣー４８を例えば、１０組含む端局中継装置では、４８０チャンネルを識別するパスコードが使用される。
【０２１５】
パスコードとしては、これらのチャンネルを識別できるだけのビット数があればよい。例えば、４８０チャンネルを識別するためには、９ビット（２9＝５１２）のビット数が
あればよい。
【０２１６】
パスコード発生部１５０は、これらの各チャンネルを識別するコードを０と１の組み合わせによるビットパターンで生成する。なお、図２５には、これらの各チャンネルのうち、Ｅ−ＷＫ、Ｅ−ＰＴ、Ｗ−ＷＫ、Ｗ−ＰＴおよびＤＲＯＰが例示されている。
【０２１７】
本実施形態において、制御系回路は、各チャンネルに対して、これらのビットパターンを使用する伝送路を有する。すなわち、例えば、４８０チャンネルの端局中継装置では、各チャンネルに９ビット必要となるため、総てのチャンネルで合計４３２０ビットを使用する回路が構成される。
【０２１８】
スイッチ部１４０は、このパスコードに対して、図２４のスイッチ部４０と同様、現用系と予備系との間で、回線品質のよい方を選択して、パスコードの伝送路を切り替える。または、スイッチ部１４０は、ＢＬＳＲ処理時には、図１１に示した受信側のシステムブロック５−１と同様の機能を提供し、パスコードの伝送路を切り替える。また、アラーム検出部１４７での検出結果もパスコードと同様に切り替えられる。
【０２１９】
クロスコネクト制御コード設定部１４３、１４４の機能は、図２４に示した従来のクロスコネクト制御コード設定部４３、４４と同様である。また、クロスコネクト処理回路１４２Ａ、１４２Ｂは、クロスコネクト処理の対象がパスコードの伝送路およびアラーム検出結果の伝送路となるが、処理内容は通常のクロスコネクト処理回路４２と同様である。
【０２２０】
さらに、サービスセレクタ１４５、パススイッチ１４６、ブリッジ部１４１についても、処理対象がパスコードの伝送路となる点を除いて、処理内容は、図２４のサービスセレクタ４５、パススイッチ４６、ブリッジ部４６と同様である。
【０２２１】
例えば、サービスセレクタ１４５は、挿入（アッド）とスルーの切替をパスコードに対して実行する。また、パススイッチ１４６は、イースト／ウェストに対するパスコードのクロスコネクト処理を実行する。
【０２２２】
パススイッチ・サービスセレクタ処理部１４８は、サービスセレクタ１４５およびパススイッチ１４６の切替信号を発生する。
【０２２３】
このように、図２５に示した制御系回路により、各入力信号のチャンネルを識別するパスコードがＬｉｎｅａｒ  ＡＤＭ、あるいはＢＬＳＲ処理を含むクロスコネクト処理される。そして、クロスコネクト処理結果が出力され、クロスコネクト処理回路４２に入力される（信号１５１）。
【０２２４】
この信号１５１は、各チャンネルを識別するビット数の伝送路を有する。かつ、その伝送路は、クロスコネクト処理回路の出力側のチャンネルに対応する。したがって、信号１５１は、クロスコネクト後のチャンネルと、その信号にクロスコネクトされるべきクロス
コネクト前のチャンネルとの関係を示している。すなわち、クロスコネクト処理回路４２は、この信号１５１にしたがい、入力信号のチャンネルを出力信号のチャンネルに変換すればよい。
【０２２５】
このように、チャンネルを識別するだけのビット数の信号にＬｉｎｅａｒ  ＡＤＭ、あるいはＢＬＳＲ処理を含むクロスコネクト処理を実行することで、主信号のクロスコネクト処理回路４２に対する設定信号を得ることができる。したがって、主信号とは分離された制御系回路において、主信号を模擬するパスコードを使用し、実質的に、Ｌｉｎｅａｒ
ＡＤＭ、あるいはＢＬＳＲ処理を実行できる。
＜実施例４−２＞
図２６に本発明の実施例４−２に係る端局中継装置の構成を示す。上記実施例４−１では、主信号を模擬するパスコードを使用し、実質的に、Ｌｉｎｅａｒ  ＡＤＭ、あるいはＢＬＳＲ処理を実行するクロスコネクト処理について説明した。
【０２２６】
図２６は、実施例１の図２５と比較してスイッチ部４０が主信号系回路に含まれる点で、実施例１と相違する。他の構成および作用は、実施例１と同様である。そこで、同一の構成要素については、同一の符号を付してその説明を省略する。
【０２２７】
図２６の回路では、スイッチ部４０が主信号系回路で使用されている。したがって、アラーム検出部１４７は、Ｌｉｎｅａｒ  ＡＤＭ処理実行後の主信号からアラームを検出すればよい。このため、制御系回路側でスイッチ部４０の処理に対応するＬｉｎｅａｒ  ＡＤＭ処理を実行する必要がない。このため、図２５の場合と比較し、図２６においては、パスコード生成部１５０およびスイッチ部１４０は、制御系回路から除外されている。すなわち、本実施例２の回路では、クロスコネクト制御コード設定部１４３、１４４の制御コード（クロスコネクト後のチャンネルにどの入力チャンネルを割り当てるかを示すコード）が、サービスセレクタ１４５およびブリッジ部１４１、またはパススイッチ１４６を介して、クロスコネクト処理回路４２に入力される。
【０２２８】
以上述べたように、この回路の機能は、スイッチ部４０が主信号系回路にあり、かつ、パスコード発生部１５０がない点を除き、図２５の回路と同様である。
【０２２９】
＜その他の変形例＞
上記実施形態では、ＳＯＮＥＴ／ＳＤＨにおいて本発明を実施する例を示した。しかし、本発明の実施は、ＳＯＮＥＴ／ＳＤＨには限定されない。すなわち、現用系と予備系の切替機能、およびクロスコネクト処理機能を有する中継装置一般において本発明は実施可能である。
《産業上の利用可能性》
本発明は、ＳＯＮＥＴ／ＳＤＨ等のネットワークにおいて、現用系と予備系の切替機能、およびクロスコネクト処理機能を有する中継装置に利用できる。
《その他》
本実施形態は、以下の態様（付記という）を含む。それぞの付記に含まれる構成は、他の付記に含まれる構成と組み合わせてもよい。
（付記１）ネットワーク上での回線設定を含むクロスコネクト処理を実行する、そのようなクロスコネクト処理回路と、前記クロスコネクト処理回路の入力側にあって前記ネットワーク上での回線を提供する現用系伝送路と前記現用系伝送路の代替伝送路となる予備系伝送路とを切り替える、そのような複数の第１伝送路切替部と、前記クロスコネクト処理回路の出力側にあって前記ネットワーク上での回線を提供する現用系伝送路と前記現用系伝送路の代替伝送路となる予備系伝送路とを切り替える、そのような複数の第２伝送路切替部とを有する前記ネットワークの端局中継装置であり、前記クロスコネクト処理回路は、複数の入力側インターフェースと複数の出力側インターフェースとを有し、前記第１伝
送路切替部および第２伝送路切替部は、各々入力側インターフェースと出力側インターフェースとを有しており、前記端局中継装置は、
前記ネットワーク上の伝送路へのインターフェース部または前記ネットワークに接続される下位ネットワークへのインターフェース部を挿入され、前記ネットワークまたは前記下位ネットワークへの前記インターフェース部上の送信端子および受信端子に受容する、そのような複数のスロット部と、
前記いずれかのスロット部に挿入される前記インターフェース部上の受信端子を前記いずれかの第１伝送路切替部の入力側インターフェースに選択的に接続する第１選択部と、
前記第１伝送路切替部の出力側インターフェースを前記クロスコネクト処理回路の入力側インターフェースに接続する第２選択部と、
前記クロスコネクト処理回路の出力側インターフェースを前記第２伝送路切替部のいずれかの入力側インターフェースに選択的に接続する第３選択部と、
前記第２伝送路切替部の出力側インターフェースを前記いずれかのスロット部に挿入される前記インターフェース部上の送信端子に接続する第４選択部と、
を備える端局中継装置。
（付記２）前記第２選択部は、前記第１選択部および前記第１伝送路切替部を介して接続される前記受信端子を、その受信端子を含むインターフェースが挿入されるスロット位置に対応付けられる、前記クロスコネクト処理回路の入力側インターフェースに接続する付記１に記載の端局中継装置。
（付記３）前記第３選択部は、前記第２伝送路切替部および前記第４接続部を介して接続される、そのような前記送信端子を、その送信端子を含むインターフェースが挿入されるスロット位置に対応付けられる、前記クロスコネクト処理回路の出力側インターフェースに接続する付記１または２に記載の端局中継装置。
（付記４）前記ネットワークの伝送品質を判断する品質判断部をさらに備え、
前記第１伝送路切替部または前記第２伝送路切替部は、前記伝送品質に応じて前記現用系伝送路と予備系伝送路とを切り替える付記１に記載の端局中継装置。
（付記５）前記ネットワークは、ＳＯＮＥＴ／ＳＤＨ光ネットワークである付記１に記載の端局中継装置。
（付記６）前記ネットワークは、前記端局中継装置を他の端局中継装置に一対一で接続する構成、他の一連の端局中継装置と線状に接続する構成、または、他の複数の端局中継装置とリング状に接続する構成を含む付記１に記載の端局中継装置。
（付記７）前記端局中継装置は、ＳＯＮＥＴ／ＳＤＨ光ネットワークにおけるＵＳＰＲ（Uni-directional Path Switched Ring）を構成する付記１に記載の端局中継装置。
（付記８）前記端局中継装置は、ＳＯＮＥＴ／ＳＤＨ光ネットワークにおけるＢＬＳＲ（Bi-directional Line Switched Ring）を構成する付記１に記載の端局中継装置。
（付記９）第１の方向への現用系伝送路と第１の方向への予備系伝送路とを有する第１リング伝送路と、第２の方向への現用系伝送路と第２の方向への予備系伝送路とを有する第２リング伝送路とを含むネットワークに接続される端局中継装置であり、
前記ネットワーク上の通信チャンネルのクロスコネクト処理を実行する、そのようなクロスコネクト処理回路と、
前記クロスコネクト処理回路に対し、前記ネットワークからの受信側にあって前記第１方向からの現用系伝送路と現用系伝送路の代替伝送路となる前記第２方向からの予備系伝送路とを切り替える、そのような複数の第１伝送路切替部と、
前記クロスコネクト処理回路に対し、前記ネットワークへの送信側にあって前記第１方向への現用系伝送路と前記現用系伝送路の代替伝送路となる前記第２方向への予備系伝送路とを切り替える、そのような複数の第２伝送路切替部とを備え、
前記第１伝送路切替部は、前記現用系伝送路において通信中の通信チャンネルを識別するチャンネル情報の検出手段と、
前記チャンネル情報に基づき、前記現用系伝送路において使用された通信チャンネルに対応する、そのような予備系伝送路に含まれる通信チャンネルを識別するチャンネル識別
手段と、
前記現用系伝送路の通信チャンネルを、前記チャンネル識別手段に基づき識別される予備系伝送路の通信チャンネルに切り替えるスイッチ部とを有する、端局中継装置。
（付記１０）前記クロスコネクト処理回路に対し、前記ネットワークから受信側にあって前記第２方向からの現用系伝送路と現用系伝送路の代替伝送路となる前記第１方向からの予備系伝送路とを切り替える、そのような複数の第３伝送路切替部と、
前記クロスコネクト処理回路に対し、前記ネットワークへの送信側にあって前記第２方向への現用系伝送路と前記現用系伝送路の代替伝送路となる前記第１方向への予備系伝送路とを切り替える、そのような複数の第４伝送路切替部とをさらに備え、
前記第３伝送路切替部は、前記現用系伝送路において通信中の通信チャンネルを識別するチャンネル情報の検出手段と、
前記チャンネル情報に基づき、前記現用系伝送路において使用された通信チャンネルに対応する、そのような予備系伝送路に含まれる通信チャンネルを識別するチャンネル識別手段と、
前記現用系伝送路の通信チャンネルを、前記チャンネル識別手段に基づき識別される予備系伝送路の通信チャンネルに切り替えるスイッチ部とを有する付記９に記載の端局中継装置。
（付記１１）前記第１リング伝送路において、現用系伝送路と予備系伝送路とが各々異なる伝送媒体を有し、前記第２リング伝送路において、現用系伝送路と予備系伝送路とが各々異なる伝送媒体を有する付記９に記載の端局中継装置。
（付記１２）ネットワーク上での回線設定を含むクロスコネクト処理を実行する、そのようなクロスコネクト処理回路と、
前記クロスコネクト処理回路を制御する制御回路と備え、
前記制御回路は、
前記ネットワークの伝送路に対応する複数の回線を含む制御伝送路と、
前記制御伝送路において前記回線を切り替える切替部と、
前記切替部による切替後の回線と切替前の回線との対応関係を前記クロスコネクト処理回路に設定する設定部とを備える、端局中継装置。
（付記１３）前記回線を識別する識別情報を発生して、その識別情報を前記制御伝送路の対応する回線に入力する識別情報発生部をさらに備える付記１２に記載の端局中継装置。（付記１４）前記制御伝送路は、前記ネットワークに含まれる現用系伝送路に対応する複数の回線を含む第１制御伝送路と、前記ネットワークに含まれる予備系伝送路に対応し、前記第１制御伝送路の代替伝送路となる前記第２制御伝送路とを有し、
前記切替部は、前記第１制御伝送路と第２制御伝送路との間で回線を切り替える付記１２に記載の端局中継装置。
（付記１５）前記制御伝送路は、前記ネットワークへの加入側回線を含む第３伝送路と、前記ネットワークからの離脱側回線を含む第４伝送路とをさらに有し、
前記切替部は、該切替部への入力側において、前記第１制御伝送路、第２制御伝送路、または、第３伝送路との間で回線を切り替える入力側切替部と、該切替部への出力側において、前記第１制御伝送路、第２制御伝送路、または、第４伝送路との間で回線を切り替える出力側切替部とを有する付記１２に記載の端局中継装置。
（付記１６）前記端局中継装置は、ＳＯＮＥＴ／ＳＤＨ光ネットワークにおけるＵＳＰＲ（Uni-directional Path Switched Ring）を構成する付記１４に記載の端局中継装置。
（付記１７）前記端局中継装置は、ＳＯＮＥＴ／ＳＤＨ光ネットワークにおけるＢＬＳＲ（Bi-directional Line Switched Ring）を構成する付記１４に記載の端局中継装置。
（付記１８）第１の方向への現用系伝送路と第１の方向への予備系伝送路とを有する第１リング伝送路と、第２の方向への現用系伝送路と第２の方向への予備系伝送路とを有する第２リング伝送路とを含むネットワークにおける中継方法であり、前記ネットワークは、前記ネットワーク上の通信チャンネルにクロスコネクト処理を実行する、そのようなクロスコネクト処理回路を有しており、
前記クロスコネクト処理回路に対して、前記ネットワークからの受信側において、前記第１方向からの現用系伝送路と現用系伝送路の代替伝送路となる前記第２方向からの予備系伝送路とを切り替える第１切替ステップと、
前記クロスコネクト処理回路に対して、前記ネットワークへの送信側において、前記第２方向への現用系伝送路と前記現用系伝送路の代替伝送路となる前記第１方向への予備系伝送路とを切り替える第２切替ステップとを備え、
前記第１切替ステップは、前記現用系伝送路において通信中の通信チャンネルを識別するチャンネル情報を検出するステップと、
前記チャンネル情報を保持するステップと、
前記チャンネル情報に基づき、前記現用系伝送路において使用された通信チャンネルに対応する、そのような予備系伝送路に含まれる通信チャンネルを識別するステップと、
前記現用系伝送路の通信チャンネルを、前記チャンネル情報に基づき識別される予備系伝送路の通信チャンネルに切り替えるステップとを有する、中継方法。
（付記１９）前記クロスコネクト処理回路に対し前記ネットワークから受信側において、前記第２方向からの現用系伝送路と現用系伝送路の代替伝送路となる前記第１方向からの予備系伝送路とを切り替える、そのような複数の第３伝送路切替ステップと、
前記クロスコネクト処理回路に対し、前記ネットワークへの送信側において前記第２方向への現用系伝送路と前記現用系伝送路の代替伝送路となる前記第１方向への予備系伝送路とを切り替える、そのような複数の第４伝送路切替ステップとをさらに備え、
前記第３伝送路切替ステップは、
前記現用系伝送路において通信中の通信チャンネルを識別するチャンネル情報の検出ステップと、
前記チャンネル情報に基づき、前記現用系伝送路において使用された通信チャンネルに対応する、そのような予備系伝送路に含まれる通信チャンネルを識別するチャンネル識別ステップと、
前記現用系伝送路の通信チャンネルを、前記チャンネル識別手段に基づき識別される予備系伝送路の通信チャンネルに切り替えるステップとを有する付記１８に記載の中継方法。
【図面の簡単な説明】
【０２３０】
【図１】従来技術に係るターミナル（１＋１）構成のネットワークを示す図
【図２】従来技術に係るＬｉｎｅａｒ  ＡＤＭ構成のネットワークを示す図
【図３】従来技術に係るＵＰＳＲ構成のネットワークを示す図
【図４】従来技術に係るＯＣ−４８レベル２ファイバＢＬＳＲ構成のネットワークを示す図
【図５】従来技術に係るＯＣ−４８レベル４ファイバＢＬＳＲ構成のネットワークを示す図
【図６】複数のプロテクション機能を実装した端局中継装置の構成例
【図７】本発明の第１実施形態に係る端局中継装置１の一例
【図８】端局中継装置１、１によるターミナル（１＋１）構成のアプリケーション例を示す図
【図９】ターミナル（１＋１）構成のアプリケーション例における端局中継装置１のクロスコネクト処理例を示す図
【図１０】システムブロック内の１＋１ＬｉｎｅＡＰＳ処理用のラインスイッチおよびラインブリッジの構成図
【図１１】４ファイバＢＬＳＲのシステムブロック５Ａ−１および１５Ａ−１内におけるＢＬＳＲ処理時の構成図
【図１２】本発明の第２実施形態においてＵＰＳＲからＢＬＳＲへアップグレードする手順（１）を示す図
【図１３】本発明の第２実施形態においてＵＰＳＲからＢＬＳＲへアップグレードする手順（２）を示す図
【図１４】本発明の第２実施形態においてＵＰＳＲからＢＬＳＲへアップグレードする手順（３）を示す図
【図１５】Ｌｉｎｅａｒ  ＡＤＭ構成から４ファイバＢＬＳＲにアップグレードする手順を示す図
【図１６Ａ】Ｌｉｎｅａｒ  ＡＤＭ構成から４ファイバＢＬＳＲにアップグレードする詳細手順（１）
【図１６Ｂ】Ｌｉｎｅａｒ  ＡＤＭ構成から４ファイバＢＬＳＲにアップグレードする詳細手順（１）
【図１７Ａ】Ｌｉｎｅａｒ  ＡＤＭ構成から４ファイバＢＬＳＲにアップグレードする詳細手順（２）
【図１７Ｂ】Ｌｉｎｅａｒ  ＡＤＭ構成から４ファイバＢＬＳＲにアップグレードする詳細手順（２）
【図１８】本発明の第３実施形態に係るＢＬＳＲを示す図
【図１９】ＢＬＳＲにおいて単一障害が発生した状態を示す図
【図２０】ＢＬＳＲにおいて多重障害の例を示す
【図２１】ＢＬＳＲにおいて多重障害を救済する処理例を示す図
【図２２】パスＩＤ検出処理を実行する回路の内部機能ブロック図
【図２３】パスＩＤ比較部１２３とタイムスロット制御部１２４の回路構成図
【図２４】従来の端局中継装置におけるクロスコネクト処理および現用系／予備系切替回路の例を示す図
【図２５】本発明の実施例４−１に係る端局中継装置の構成図
【図２６】本発明の実施例４−２に係る端局中継装置の構成
【図１】
2008178124.tif 000003
【図２】
2008178124.tif 000004
【図３】
2008178124.tif 000005
【図４】
2008178124.tif 000006
【図５】
2008178124.tif 000007
【図６】
2008178124.tif 000008
【図７】
2008178124.tif 000009
【図８】
2008178124.tif 000010
【図９】
2008178124.tif 000011
【図１０】
2008178124.tif 000012
【図１１】
2008178124.tif 000013
【図１２】
2008178124.tif 000014
【図１３】
2008178124.tif 000015
【図１４】
2008178124.tif 000016
【図１５】
2008178124.tif 000017
【図１６Ａ】
2008178124.tif 000018
【図１６Ｂ】
2008178124.tif 000019
【図１７Ａ】
2008178124.tif 000020
【図１７Ｂ】
2008178124.tif 000021
【図１８】
2008178124.tif 000022
【図１９】
2008178124.tif 000023
【図２０】
2008178124.tif 000024
【図２１】
2008178124.tif 000025
【図２２】
2008178124.tif 000026
【図２３】
2008178124.tif 000027
【図２４】
2008178124.tif 000028
【図２５】
2008178124.tif 000029
【図２６】
2008178124.tif 000030